(57)【特許請求の範囲】
【請求項１】
第１基地局群に属する第１無線基地局との通信を一時的に停止する第１無通信期間に、第２基地局群に属する第２無線基地局を介して提供されるサービスを示すサービス情報が前記第２無線基地局から送信される時刻を示す時刻情報を、前記第２無線基地局から取得する第１取得手段と、
前記時刻情報が示す時刻に合わせて確保され且つ前記第１無線基地局との通信を一時的に停止する第２無通信期間に、前記第２無線基地局から前記サービス情報を取得する第２取得手段と
を備えることを特徴とする無線端末。
【請求項２】
前記時刻情報の送信頻度が、前記サービス情報の送信頻度よりも高いことを特徴とする請求項１に記載の無線端末。
【請求項３】
前記第１無通信期間及び前記第２無通信期間の少なくとも一方を、前記第１無線基地局に対して要求する要求手段を更に備えることを特徴とする請求項１又は２に記載の無線端末。
【請求項４】
前記要求手段は、前記時刻情報が示す時刻に合わせて、前記第２無通信機関を前記第１無線基地局に対して要求することを特徴とする請求項３に記載の無線端末。
【請求項５】
前記要求手段は、当該無線端末が現在通信を行っている前記第１無線基地局に隣接する他の第１無線基地局と当該無線端末との間の通信環境を測定する期間を前記第１無線基地局に対して要求するスキャン要求コマンドを用いて、前記第１無通信期間及び前記第２無通信期間の少なくとも一方を要求することを特徴とする請求項３又は４に記載の無線端末。
【請求項６】
前記要求手段は、当該無線端末が現在通信を行っている前記第１無線基地局との間の通信の一時的な停止を要求する間欠通信要求コマンドを用いて、前記第１無通信期間及び前記第２無通信期間の少なくとも一方を要求することを特徴とする請求項３又は４に記載の無線端末。
【請求項７】
当該無線端末は、ＩＥＥＥ８０２．１６方式に準拠して、前記第１無線基地局及び前記第２無線基地局の夫々と通信を行い、
前記時刻情報は、ＤＬ−ＭＡＰ（Down Link MAP）に含まれることを特徴とする請求項１から６のいずれか一項に記載の無線端末。
【請求項８】
前記時刻情報は、前記ＤＬ−ＭＡＰ中のＢｒｏａｄｃａｓｔ  Ｃｏｎｔｒｏｌ  Ｐｏｉｎｔｅｒ情報に含まれることを特徴とする請求項７に記載の無線端末。
【請求項９】
前記第１取得手段は、当該無線端末が現在通信を行っている前記第１無線基地局からハンドオーバー可能な他の第１無線基地局が前記第１基地局群中に存在しない場合に、前記時刻情報を取得することを特徴とする請求項１から８のいずれか一項に記載の無線端末。
【請求項１０】
前記第２取得手段は、当該無線端末が現在通信を行っている前記第１無線基地局からハンドオーバー可能な他の第１無線基地局が前記第１基地局群中に存在しない場合に、前記サービス情報を取得することを特徴とする請求項１から９のいずれか一項に記載の無線端末。
【請求項１１】
前記第２取得手段は、前記時刻情報が示す時刻が前記第１無通信期間に含まれる場合に、前記第１無通信期間に前記サービス情報を取得することを特徴とする請求項１から１０のいずれか一項に記載の無線端末。
【請求項１２】
自身を介して提供されるサービスを示すサービス情報を送信する時刻を示す時刻情報を
送信する第１送信手段と、
前記サービス情報を送信する第２送信手段と
を備え、
前記時刻情報の送信頻度が、前記サービス情報の送信頻度よりも高いことを特徴とする無線基地局。
【請求項１３】
無線端末と、第１基地局群に属する第１無線基地局と、第２基地局群に属する第２無線基地局とを備える無線通信システムにおける通信方法であって、
前記第２無線基地局から、前記第２無線基地局を介して提供されるサービスを示すサービス情報が前記第２無線基地局から送信される時刻を示す時刻情報が送信される第１送信工程と、
前記第２無線基地局から、前記サービス情報が送信される第２送信工程と、
前記無線端末と前記第１無線基地局との間の通信を一時的に停止する第１無通信期間に、前記無線端末により前記時刻情報が取得される第１取得工程と、
前記時刻情報が示す時刻に合わせて確保され且つ前記無線端末と前記第１無線基地局との間の通信を一時的に停止する第２無通信期間に、前記無線端末により前記サービス情報が取得される第２取得工程と
を備えることを特徴とする通信方法。
【発明の詳細な説明】
【技術分野】
【０００１】
本発明は、例えば複数の無線基地局の通信エリア間を移動してこれらの無線基地局と無線通信を行う無線端末、このような無線端末と無線通信を行う無線基地局、並びにこのような無線端末及び無線基地局を備える無線通信システムにおける通信方法の技術分野に関する。
【背景技術】
【０００２】
このような無線通信システムにおいては、複数の無線基地局を配置すると共に、無線端末と無線基地局との間で無線通信が行われる。これにより、無線端末は、無線基地局を介して各種情報の送受信を行うことができる。ここで、各無線基地局の通信エリアの大きさに制限があるため、ある無線基地局の通信エリア外に無線端末が移動してしまうと、無線端末の無線通信が途絶えてしまいかねない。このような場合に無線通信を途絶えさせないために、ハンドオーバーという技術が従来から提案されている。ハンドオーバーを採用することで、無線端末は、移動先の無線基地局の通信エリア内に入った場合に、移動元の無線基地局との間の接続状態を移動先の無線基地局との間に引き継ぎ無線通信を継続することができる。これにより、無線端末と無線基地局との間の無線通信を途絶えさせること無く、信頼性の高い無線通信を実現することができる。
【０００３】
一方で、このような無線通信システムとして、例えば複数の無線基地局を一群として含む無線アクセス網を提供するネットワークアクセスプロバイダ（ＮＡＰ：Network Access Provider）と、ネットワークアクセスプロバイダを介して無線端末に対して実際にサービス（言い換えれば、アプリケーション）を提供するネットワークサービスプロバイダ（ＮＳＰ：Network Service Provider）とを含む構成が、一構成例として考えられる。このような構成を採用するシステムとしては、ＩＥＥＥ８０２．１６方式に準拠した無線通信システムが一例としてあげられる。
【先行技術文献】
【特許文献】
【０００４】
【特許文献１】国際公開２００５／０１１１５２号パンフレット
【特許文献２】特許３５４３７７３号
【特許文献３】特開２００６−２５４０９３号公報
【特許文献４】特開２００６−１３５９４号公報
【非特許文献】
【０００５】
【非特許文献１】ＩＥＥＥ８０２．１６―２００4
【非特許文献２】ＩＥＥＥ８０２．１６ｅ―２００５
【発明の概要】
【発明が解決しようとする課題】
【０００６】
このような無線通信システムでは、ネットワークアクセスプロバイダ及びネットワークサービスプロバイダの夫々が複数存在し得る。この場合、無線端末は、どのネットワークアクセスプロバイダを介して無線通信を行い且つどのネットワークサービスプロバイダからサービスの提供を受けるかを選択する必要がある。このため、無線端末は、初期接続時や圏外に移動した後の再接続時に、初期シーケンスの一部として、無線端末との間で無線通信を行うことができるネットワークアクセスプロバイダ及び該ネットワークアクセスプロバイダを介してサービスの提供を行うことができるネットワークサービスプロバイダを探索する必要がある。また、無線端末は、初期シーケンスの他の一部として、探索されたネットワークアクセスプロバイダとの間で実際にコネクションを確立する必要がある。
【０００７】
一方で、無線端末は、一旦ネットワークアクセスプロバイダとの間のコネクションを確立した後は、コネクションが確立されているネットワークアクセスプロバイダが備える複数の基地局の夫々を対象に適宜ハンドオーバーを行うことで、無線通信を維持することができる。しかしながら、現在コネクションが確立されているネットワークアクセスプロバイダが提供する無線アクセス網中にハンドオーバー可能な無線基地局が存在しない場合には、無線端末は、他のネットワークアクセスプロバイダに対して新たにコネクションを確立する（言い換えれば、コネクション先を切り替える）必要性が生ずる。
【０００８】
従って、ハンドオーバー可能な無線基地局が存在しない場合には、無線端末は、再度初期シーケンスを行うことで、他に無線通信を行うことが可能なネットワークアクセスプロバイダ及びネットワークサービスプロバイダを探索する必要がある。言い換えれば、現在コネクションが確立されているネットワークアクセスプロバイダとの間のコネクションが切れた後に、新たに初期シーケンスを行う必要がある。このため、現在コネクションが確立されているネットワークアクセスプロバイダとの間のコネクションが切れてから他のネットワークアクセスプロバイダとのコネクションを確立するまでの間の時間が長くなってしまいかねないという技術的な問題点を有している。特に、例えばＶｏＩＰのようにリアルタイム性が要求されるサービスを利用している場合には、当該サービスを継続して利用することができない（つまり、サービスの接続自体が切れてしまう）ことにもつながりかねない。
【０００９】
本発明が解決しようとする課題には上記のようなものが一例として挙げられる。本発明は、例えばコネクションを確立している無線アクセス網との間のコネクションが切れてから他の無線アクセス網に対してコネクションを確立するまでに要する時間を相対的に短縮することが可能な無線端末、無線基地局及び無線通信システムにおける通信方法を提供することを目的とする。
【課題を解決するための手段】
【００１０】
上記課題は、第１取得手段と第２取得手段とを備える無線端末により解決され得る。第１取得手段は、第１基地局群に属する第１無線基地局との通信を一時的に停止する第１無通信期間に、時刻情報を取得する。つまり、第１取得手段は、第１無線基地局と間のコネクションが維持されつつも通信が一時的に停止されている第１無通信期間に、時刻情報を取得する。この時刻情報は、第１基地局群とは異なる第２基地局群に属する第２無線基地局を介して提供されるサービスを直接的に又は間接的に示すサービス情報が第２無線基地局から送信される時刻を示している。このため、時刻情報は、サービス情報を実際に送信する第２無線基地局から送信されることが好ましい。第２取得手段は、時刻情報が示す時刻に合わせて（言い換えれば、時刻情報が示す時刻に同期して又は一致して）確保される第２無通信期間に、サービス情報を実際に取得する。
【００１１】
上記課題はまた、第１送信手段と第２送信手段とを備える無線基地局（例えば、上述の第２無線基地局）により解決され得る。第１送信手段は、時刻情報を送信する。時刻情報は、無線基地局自身を介して提供されるサービスを直接的に又は間接的に示すサービス情報を送信する時刻を示している。また、第２送信手段は、実際にサービス情報を送信する。このように送信される時刻情報及びサービス情報の夫々は、無線端末に対して送信されることが好ましい。
【００１２】
上記課題はまた、第１取得工程と第２取得工程とを備える通信方法により解決され得る。この通信方法は、無線端末と、第１無線網に属する第１無線基地局と、第２無線網に属する第２無線基地局とを備える無線通信システムにおける通信方法を規定している。具体的には、第１送信工程において、第２無線基地局によって時刻情報が送信される。また、第２送信工程において、第２無線基地局によってサービス情報が送信される。第１取得工程においては、第１無通信期間に、無線端末によって時刻情報が取得される。第２取得工程においては、第２無通信期間に、無線端末によってサービス情報が取得される。
【発明の効果】
【００１３】
時刻情報が示す時刻に合わせて確保される第２無通信期間にサービス情報が取得されるため、時刻情報を取得することなくサービス情報を取得する無線端末と比較して、サービス情報の取得に要する第２無通信期間を相対的に短縮することができる。従って、時刻情報を取得することなくサービス情報を取得する無線端末と比較して、サービス情報そのものの取得のために確保される第２無通信期間を短縮しつつも、サービス情報を確実に取得することができる。
【００１４】
更に、第１無線基地局とのコネクションを維持しつつも通信を一時的に停止した上で上述した時刻情報及びサービス情報が取得される。このため、無線端末と第１無線基地局との間のコネクションが切れた場合であっても、コネクションが切れる前に既に取得済みのサービス情報を参照して、所望のサービスの提供を受けることができる第２無線基地局とのコネクションを確立することもできる。これにより、第１無線基地局とのコネクションが切れた後にサービス情報を取得してから第２無線基地局とのコネクションを確立する無線端末と比較して、第１無線基地局とのコネクションが切れてから第２無線基地局とのコネクションが確立するまでに要する時間の短縮を図ることもできる。
【００１５】
また、時刻情報が送信されると共に、時刻情報が示す時刻にサービス情報が送信されるため、時刻情報を送信しない無線基地局と比較して、無線端末がサービス情報の取得に要する時間を相対的に短縮することもできる。
【００１６】
また、上述した無線端末又は無線基地局と同様の効果を享受することもできる。
【図面の簡単な説明】
【００１７】
【図１】第１実施形態に係る無線通信システムの基本構成を概念的に示す構成図である。
【図２】第１実施形態に係る無線通信システムにおける動作を概念的に示すシーケンス図である。
【図３】第２実施形態に係る無線通信システムの基本構成を概念的に示す構成図である。
【図４】ＩＥＥＥ８０２．１６におけるフレームの構造を示すデータ構造図である。
【図５】ＢＳの基本構成を概念的に示すブロック図である。
【図６】ＭＳの基本構成を概念的に示すブロック図である。
【図７】第２実施形態に係る無線通信システムの動作の全体の流れを概念的に示すフローチャートである。
【図８】初期接続処理の流れを概念的に示すフローチャートである。
【図９】周波数リストを概念的に示す表である。
【図１０】ハンドオーバー候補となり得る他のＢＳが、ＳＢＳが属するＮＡＰに存在するか否かを検出する処理の流れを概念的に示すフローチャートである。
【図１１】利用可能ＢＳリストを概念的に示す表である。
【図１２】ＳＢＳが属するＮＡＰとは異なる他のＮＡＰからのＳＩＩ−ＡＤＶメッセージの取得処理の流れを概念的に示すフローチャートである。
【図１３】フレーム中のＤＬ−ＭＡＰに含まれるＢ．Ｃ．Ｐｏｉｎｔｅｒメッセージのデータ構造を示すデータ構造図である。
【図１４】フレーム中のＤＬサブフレームに含まれるＳＩＩ−ＡＤＶメッセージのデータ構造を示すデータ構造図である。
【図１５】ディスカバリＮＡＰ／ＮＳＰリストを概念的に示す表である。
【図１６】再接続処理の流れを概念的に示すフローチャートである。
【図１７】好適ＮＡＰ／ＮＳＰリストを概念的に示す表である。
【発明を実施するための形態】
【００１８】
以下、本発明を実施するための最良の形態を、図面に基づいて説明する。
【００１９】
（１）第１実施形態
初めに、図１及び図２を参照して、本発明を実施するための最良の形態として、第１実施形態に係る無線通信システムについて説明する。ここに、図１は、第１実施形態に係る無線通信システムの基本構成を概念的に示すブロック図であり、図２は、第１実施形態に係る無線通信システムにおける動作を概念的に示すシーケンス図である。
【００２０】
図１に示すように、第１実施形態に係る無線通信システム１は、無線端末１０と、第１無線基地局２１を含む第１基地局群２０と、第２無線基地局３１を含む第２基地局群３０とを備えている。
【００２１】
第１無線基地局２１及び第２無線基地局３１の夫々は、無線端末１０と無線通信を行う。また、第１無線基地局２１は、第１基地局群２０と有線又は無線のネットワークを介して接続されるサービス局から提供されるサービス（言い換えれば、アプリケーション）を無線端末１０が利用するための中継局として機能することが好ましい。同様に、第２無線基地局３１は、第２無線アクセス網３０と有線又は無線のネットワークを介して接続される不図示のサービス提供局から提供されるサービス（言い換えれば、アプリケーション）を無線端末１０が利用するための中継局として機能することが好ましい。尚、図１では、無線端末１０が、第１無線基地局２１と無線通信を行っている（言い換えれば、コネクションを確立している）例について説明する。
【００２２】
ここで、第２無線基地局３１は、第１送信手段３２と、第２送信手段３３とを備えている。第１送信手段３２は、図２に示すように、第２無線基地局３１（言い換えれば、第２基地局群３０）を介して提供されるサービスを示すサービス情報を送信する時刻を示す時刻情報を、無線端末１０に対して送信する。ここで、サービス情報は、第２無線基地局３１を介して提供されるサービスを直接的に示す情報であってもよい。或いは、サービス情報は、第２無線基地局３１を介して提供されるサービスを間接的に示す情報（例えば、サービスを提供するサービス局を示す情報や、サービスの種類や属性等を示す情報等）であってもよい。第２送信手段３３は、図２に示すように、時刻情報が示す時刻に、サービス情報を無線端末１０に対して送信する。
【００２３】
また、無線端末１０は、第１取得手段１１と、第２取得手段１２とを備えている。第１取得手段１１は、図２に示すように、第１無線基地局２１との間の無線通信を一時的に停止する第１無通信期間に、時刻情報を取得する。つまり、第１取得手段１１は、第１無線基地局２１とコネクションが維持されつつも無線通信が一時的に停止されている第１無通信期間に、時刻情報を取得する。第２取得手段１２は、図２に示すように、第１無線基地局２１との間の無線通信を一時的に停止する第２無通信期間に、サービス情報を実際に取得する。この第２無通信期間は、時刻情報が示す時刻（つまり、サービス情報が送信される時刻）に合わせて確保される。
【００２４】
このような第１実施形態に係る無線通信システム１によれば、無線端末１０は、サービス情報の取得前に時刻情報を取得している。このため、時刻情報を取得することなくサービス情報を取得する無線端末と比較して、無線端末１０がサービス情報を取得するために確保される第２無通信期間を相対的に短縮することができる。これにより、時刻情報を取得することなくサービス情報を取得する無線端末と比較して、サービス情報の取得のために無線端末１０と第１無線基地局２１との間の通信を停止する期間を相対的に短縮しつつも、サービス情報を確実に取得することができる。
【００２５】
また、無線端末１０は、第１無線基地局２１とのコネクションを維持したまま、第２無線基地局３１を介して提供されるサービスを直接的に又は間接的に認識することができる。仮に無線端末１０と第１無線基地局２１との間のコネクションが切れた場合には、既に取得済みのサービス情報を参照して、所望のサービスの提供を受けることができる（或いは、例えば所望のサービスを提供するサービス局にアクセス可能な）第２無線基地局３１とのコネクションを迅速に確立することができる。これにより、第１無線基地局２１との間のコネクションが切れた後にサービス情報を取得してから第２無線基地局３１とのコネクションを確立する無線端末と比較して、第１無線基地局２１と無線端末１０との間のコネクションが切れてから第２無線基地局３１と無線端末１０との間のコネクションが確立するまでに要する時間の短縮を図ることができる。
【００２６】
（２）第２実施形態
続いて、以上の無線通信システムのより具体的な実施形態である第２実施形態について説明する。
【００２７】
（２−１）第２実施形態の無線通信システムの基本構成
初めに、図３を参照して、第２実施形態に係る無線通信システム１０００の基本構成について説明する。ここに、図３は、第２実施形態に係る無線通信システム１０００の基本構成を概念的に示す構成図である。
【００２８】
図３に示すように、第２実施形態に係る無線通信システム１０００は、ＭＳ（Mobile Station：移動端末）１００と、ＮＡＰ（Network Access Provider：ネットワークアクセスプロバイダ）（＃１）２１０と、ＮＡＰ（＃２）２１０と、ＮＳＰ（Network Service Provider：ネットワークサービスプロバイダ）（＃１）３１０と、ＮＳＰ（＃２）３１０とを備えている。
【００２９】
尚、第２実施形態では、ＩＥＥＥ８０２．１６システムである無線通信システム１０００について以下の説明を進める。但し、ＩＥＥＥ８０２．１６システムに限らず、他の無線通信システム（例えば、ＩＭＴ−２０００システム等）である無線通信システムにおいても、当該無線通信システムの使用を考慮した上で、以下に説明する構成及び動作を採用してもよい。
【００３０】
ＮＡＰ（＃１）２１０及びＮＡＰ（＃２）２１０の夫々は、例えば無線アクセス網を提供する通信キャリアである。ＮＡＰ（＃１）２１０及びＮＡＰ（＃２）２１０の夫々には、個別の識別番号であるＮＡＰ  ＩＤが付与されていることが好ましい。図３では、ＮＡＰ（＃１）２１０のＮＡＰ  ＩＤが“０ｘＥ０Ｄ０１２”であり、ＮＡＰ（＃２）２１０のＮＡＰ  ＩＤが“０ｘＡ３ＣＤ３８”である例を示している。
【００３１】
また、ＮＡＰ（＃１）２１０及びＮＡＰ（＃２）２１０の夫々は、無線アクセス網内に、複数のＢＳ（Base Station：無線基地局）２００を含んでいる。各ＢＳ２００は、各ＢＳ２００に対応するセル（図３中の点線参照）内に位置するＭＳ１００との間でコネクションを確立すると共に、実際に無線通信を行う。尚、図３では、ＮＡＰ（＃１）２１０の無線アクセス網内に、ＢＳ（＃１）２００と、ＢＳ（＃２）２００と、ＢＳ（＃３）２００と、ＢＳ（＃４）２００とが含まれる例を示している。また、ＮＡＰ（＃２）２１０の無線アクセス網内に、ＢＳ（＃５）２００と、ＢＳ（＃６）２００と、ＢＳ（＃７）２００と、ＢＳ（＃８）２００とが含まれる例を示している。また、各ＢＳ２００には、個別の識別番号であるＢＳ  ＩＤが付与されていることが好ましい。
【００３２】
ＮＳＰ（＃１）３１０及びＮＳＰ（＃２）３１０の夫々は、例えばインターネットプロバイダ等のサービスプロバイダである。ＮＳＰ（＃１）３１０及びＮＳＰ（＃２）３１０の夫々は、ＭＳ１００に対して、ＮＡＰ（＃１）２１０又はＮＡＰ（＃２）２１０を介してサービスないしはアプリケーション（例えば、メールサービスや、音声通話サービスや、ＷＥＢ閲覧サービス等）を提供する。ＮＳＰ（＃１）３１０及びＮＳＰ（＃２）３１０の夫々には、個別の識別番号であるＮＳＰ  ＩＤが付与されていることが好ましい。図３では、ＮＳＰ（＃１）３１０のＮＳＰ  ＩＤが“０ｘ０００５３０”であり、ＮＳＰ（＃２）３１０のＮＳＰ  ＩＤが“０ｘ０００ＡＣ０”である例を示している。
【００３３】
ＭＳ１００は、自身が位置するセルに対応するＢＳ２００との間でコネクションを確立すると共に、無線通信を行う。また、ＭＳ１００は、ＢＳ２００（言い換えれば、ＢＳ２００が属する無線アクセス網ないしは該無線アクセス網を提供するＮＡＰ（＃１）２１０又はＮＡＰ（＃２）２１０）を介して、ＮＳＰ（＃１）３１０やＮＳＰ（＃２）３１０からサービスの提供を受ける。このようなＭＳ１００として、例えば携帯電話や、ＰＤＡ（Personal Digital Assistant）や、その他無線通信機能を有する各種情報機器等が一例としてあげられる。
【００３４】
更に、第２実施形態に係る無線通信システム１０００では、ＭＳ１００とＢＳ２００との間において、例えば、ＩＥＥＥ８０２．１６に準拠した通信方式におけるフレームを送受信することで、無線通信が行われる。従って、第２実施形態に係る無線通信システム１０００では、複数のサブキャリアを用いるＯＦＤＭ（Orthogonal Frequency Division Multiplexing Access）方式或いはサブキャリアを分割した周波数軸上の論理チャネルとシンボルの組み合わせからなるサブチャネルを用いるＯＦＤＭＡ（Orthogonal Frequency Division Multiple Access）方式における所定フォーマットのフレームを送受信することで、無線通信が行われる。
【００３５】
ここで、図４を参照しながらＩＥＥＥ８０２．１６におけるフレームの構成について説明する。ここに、図４は、ＩＥＥＥ８０２．１６におけるフレームの構成を概念的に示すフレーム構成図である。
【００３６】
図４に示すように、フレーム４００は、サブキャリア（つまり、周波数）及びシンボル（つまり、時間）によって特定されるＯＦＤＭフレーム（或いは、ＯＦＤＭＡフレーム）の単位で構成される。フレーム４００は、制御情報を含むヘッダ部分４１０と、ＤＬ（Down Link）サブフレーム部分４２０と、ＵＬサブフレーム部分４３０とを含んでいる。
【００３７】
ヘッダ部分４１０には、プリアンブル信号４１１と、ＦＣＨ（Frame Control Header：フレーム制御ヘッダ）４１２と、ＤＬ−ＭＡＰ（Down Link Mapping message：下りリンクマップ情報）４１３と、ＵＬ−ＭＡＰ（Up Link Mapping message：上りリンクマップ情報）４１４とが含まれている。
【００３８】
プリアンブル信号４１１は、通信の初期段階でＭＳ１００がＢＳ２００との間で同期を確立したり或いはＢＳ２００から送信されるフレーム４００の品質を計測したりするために用いられる信号である。
【００３９】
ＦＣＨ４１２は、後続するＤＬ−ＭＡＰ４１３やＵＬ−ＭＡＰ４１４等の制御情報をＭＳ１００が正しく読み取ることができるように、ＤＬ−ＭＡＰ４１３やＵＬ−ＭＡＰ４１４の変調方式や符号方式などを端末に伝えるために送信される報知情報である。
【００４０】
ＤＬ−ＭＡＰ４１３及びＵＬ−ＭＡＰ４１４は、ＤＬサブフレーム部分４２０やＵＬサブフレーム部分４３０中に含まれる各種データの位置を示す制御情報である。例えば、ＤＬサブフレーム部分４２０やＵＬサブフレーム部分４３０中において、各種データがバーストの単位で含まれている場合には、ＤＬ−ＭＡＰ４１３及びＵＬ−ＭＡＰ４１４は、バーストの位置を示す制御情報（つまり、バーストプロファイル情報）を含んでいる。また、ＤＬ−ＭＡＰ４１３は、フレーム４００を送信するＢＳ２００のＢＳ  ＩＤや、フレーム４００を送信するＢＳ２００が属するＮＡＰ２１０のＮＡＰ  ＩＤを含んでいる。
【００４１】
ＤＬサブフレーム部分４２０は、ＢＳ２００からＭＳ１００へ送信するデータを含んでいる。更に、ＤＬサブフレーム部分４２０は、所定周期毎に（例えば、所定秒毎に或いは所定フレーム毎に）、当該フレーム４００を送信するＢＳ２００を介してサービスを提供するＮＳＰ３１０のＮＳＰ  ＩＤを示すＳＩＩ−ＡＤＶ（Service Identity Information：サービス特定情報）メッセージ４２１を含んでいる。このＳＩＩ−ＡＤＶメッセージ４２１は、上述した「サービス情報」の一具体例となり得る。また、ＵＬサブフレーム部分４３０は、ＭＳ１００からＢＳ２００へ送信するデータを含む。
【００４２】
尚、第２実施形態では、説明の便宜上、ＭＳ１００は、ＮＳＰ（＃１）３１０が提供するサービスを、ＮＡＰ（＃１）２１０を介して受け、且つＮＳＰ（＃２）３１０が提供するサービスを、ＮＡＰ（＃２）２１０を介して受けるものとして説明を進める。また、ＭＳ１００は、通常は、サービス利用の契約を結んだＮＳＰ３１０から提供されるサービスを受けることが好ましい。このため、第２実施形態では、説明の便宜上、ＮＳＰ（＃１）３１０がサービス利用の契約を結んだＮＳＰ３１０であるものとして説明する。従って、第２実施形態に係るＭＳ１００は、通常の使用態様として、ＮＡＰ（＃１）２１０中のＢＳ２００を介して無線通信を行うことで、ＮＳＰ（＃１）３１０が提供するサービスを受ける。
【００４３】
また、第２実施形態では、ＮＳＰ（＃１）３１０とＮＳＰ（＃２）３１０とがローミング契約を結んでいるものとして説明を進める。つまり、ＮＡＰ（＃１）３１０が提供する無線アクセス網の範囲外にＭＳ１００が位置する場合であっても、ＭＳ１００は、ＮＡＰ（＃２）中のＢＳ２００を介して無線通信を行うことで、ＮＳＰ（＃２）３１０を介してＮＳＰ（＃１）３１０が提供するサービスを受けることができるものとして説明を進める。
【００４４】
また、図３においては、説明の簡略上、ＮＡＰ（＃１）２１０及びＮＡＰ（＃２）２１０とＮＳＰ（＃１）３１０及びＮＳＰ（＃２）３１０とを含む例を図示しているが、他のＮＡＰ２１０及び他のＮＳＰ３１０を更に含んでいてもよい。
【００４５】
（２−２）ＢＳ（無線基地局）の基本構成
続いて、図５を参照して、ＢＳ２００の基本構成について説明する。ここに、図５は、ＢＳ２００の基本構成を概念的に示すブロック図である。
【００４６】
図５に示すように、ＢＳ２００は、その要部に着目すれば、無線送受信処理部２０１と、バックボーン送受信部２０２と、制御部２０３と、メモリ２０４とを備えている。
【００４７】
無線送受信処理部２０１は、制御部２０３等において生成されたデータを含むフレーム４００をＭＳ１００に対して送信する。また、無線送受信処理部１０１は、ＭＳ１００から送信されるフレーム４００を受信する。このため、無線送受信処理部２０１は、例えば、データの符号化（例えば、畳込み符号やターボ符号等の誤り訂正符号化）処理又は復号化処理やフレーム４００の生成処理等を含むベースバンド処理を行うベースバンド処理回路や、ＱＰＳＫ変調や１６ＱＡＭ変調を行う変調回路や、復調処理を行う復調回路や、送信電力又は受信電力を調整するＲＦ回路や、電波を送信又は受信するアンテナ等を含む。
【００４８】
バックボーン送受信部２０２は、不図示の有線又は無線のネットワーク網を介して、他のＢＳ２００との間でデータの送受信を行う。また、バックボーン送受信部２０２は、不図示の有線又は無線のネットワーク網（更に、該ネットワーク網に加えて他のＢＳ２００）を介して、ＮＳＰ（＃１）３１０やＮＳＰ（＃２）３１０から提供されるサービスに関するデータの送受信を行う。
【００４９】
制御部２０３は、ＢＳ２００全体の動作を制御する。制御部２０３としては、例えば所定のファームウェアに基づいて動作するＣＰＵ（Ｃｅｎｔｒａｌ  Ｐｒｏｃｅｓｓｏｒ  Ｕｎｉｔ）等が一例としてあげられる。
【００５０】
制御部２０３は特に、その内部に構成される論理的な又は機能的な処理ブロックとして、網構成情報送信部２０５と、ネットワークエントリ処理部２０６とを備えている。このような処理ブロックは、例えば制御部２０３の動作を規定するファームウェアの一部のプログラムの動作として実現されてもよいし、或いはファームウェアから独立したプログラムの動作として実現されてもよい。或いは、網構成情報送信部２０５と、ネットワークエントリ処理部２０６とは、制御部２０３とは独立した１つの回路として実現されてもよい。
【００５１】
網構成情報送信部２０５は、ＢＳ２００からＳＩＩ−ＡＤＶメッセージ４２１が送信されるタイミングを示すタイミング情報（例えば、後述のＢ．Ｃ．Ｐｏｉｎｔｅｒ（Broadcast Control Pointer ）メッセージ：ブロードキャスト制御ポインタ）を生成する。このタイミング情報は、上述した「時刻情報」の一具体例となり得る。また、該生成したタイミング情報が無線送受信処理部２０１からＭＳ１００に対して送信されるフレーム４００に含まれるように、無線送受信処理部２０１を制御する。
【００５２】
ネットワークエントリ処理部２０６は、ＭＳ１００がＢＳ２００との間のコネクションを確立するための初期接続処理（特に、初期接続処理のうちのネットワークエントリ（Network Entry）処理）を行う。このため、ネットワークエントリ処理部２０６は、無線送受信処理部２０１を介して、所定のプロトコルに準じて、ＭＳ１００から送信される初期接続処理のためのメッセージ（或いは、データないしはフレーム）を受信すると共に、ＭＳ１００に対して初期接続処理のためのメッセージを送信する。また、ネットワークエントリ処理部２０６は、ＭＳ１００がＢＳ２００に対応するセル内に位置するか否かを判断するために、初期接続処理が終了した後に定期的に又は不定期的にＭＳとの間でメッセージの送受信を行ってもよい。
【００５３】
メモリ２０４は、ＢＳ２００内部で使用するデータを一時的に格納する記憶領域を含んでいる。また、メモリ２０４は、ＢＳ２００としての動作を行うためのプログラム（即ち、ファームウェア）が格納される記憶領域等を含んでいてもよい。このようなメモリ２０４としては、例えばＲＡＭ（Random Access Memory）等の半導体メモリや、その他の各種記録媒体が一例としてあげられる。
【００５４】
（２−３）ＭＳ（移動端末）の基本構成
続いて、図６を参照して、ＭＳ１００の基本構成について説明する。ここに、図６は、ＭＳ１００の基本構成を概念的に示すブロック図である。
【００５５】
図６に示すように、ＭＳ１００は、その要部に着目すれば、無線送受信処理部１１０と、制御部１２０と、メモリ１３０とを備えている。
【００５６】
無線送受信処理部１１０は、上述した無線送受信処理部２０１と同様の構成を有しており、制御部１２０等において生成されたデータを含むフレームをＢＳ２００に対して送信すると共に、ＢＳ２００から送信されるフレーム４００を受信する。このため、無線送受信処理部１１０は、上述した無線送受信処理部２０１と同様に、例えば、ベースバンド処理回路や、変調回路や、復調回路や、ＲＦ回路や、アンテナ等を含む。
【００５７】
制御部１２０は、ＭＳ１００全体の動作を制御する。制御部１２０としては、例えば所定のファームウェアに基づいて動作するＣＰＵ等が一例としてあげられる。
【００５８】
制御部１２０は特に、その内部に構成される論理的な又は機能的な処理ブロックとして、スキャン要求部１２１と、電波強度測定部１２２と、ネットワークエントリ処理部１２３と、ネットワークディスカバリ処理部１２４と、隣接情報受信部１２５と、ディスカバリトリガ判定部１２６と、ディスカバリタイミング制御部１２７と、ＮＡＰ切替判定部１２８とを備えている。
【００５９】
スキャン要求部１２１は、無線送受信処理部１１０を介して、ＭＳ１００が現在コネクションを確立しており且つ無線通信を行っているＢＳ２００（以降、このようなＢＳ２００を、“ＳＢＳ（Serving BS）２００”と称する）に対して、一定期間データの送受信を停止するスキャン要求メッセージを送信する。このスキャン要求メッセージは、例えば、ＳＢＳ２００以外の他のＢＳ２００の電波強度を測定するスキャン処理を行う際に送信される。また、スキャン要求部１２１は、スキャン要求メッセージに対するＳＢＳ２００からの応答メッセージを受信する。
【００６０】
電波強度測定部１２２は、無線送受信処理部１１０により受信されるＢＳ２００からのフレーム２００に基づいて、ＢＳ２００の電波強度（例えば、ＣＩＮＲ（Carrier to Interference-plus-Noise Ratio）や、ＲＦ信号の信号強度等）を測定する。
【００６１】
ネットワークエントリ処理部１２３は、ＭＳ１００がＢＳ２００との間のコネクションを確立するための初期接続処理（特に、初期接続処理のうちのネットワークエントリ（Network Entry）処理）を行う。このため、ネットワークエントリ処理部１２３は、所定のプロトコルに準じて、無線送受信処理部１１０を介して、ＢＳ２００から送信される初期接続処理のためのメッセージを受信すると共に、ＢＳ２００に対して初期接続処理のためのメッセージを送信する。
【００６２】
ネットワークディスカバリ処理部１２３は、無線送受信処理部１１０が使用する周波数を、ＭＳ１００内にプリセットされる周波数に同調させることで、ＳＢＳ２００以外の他のＢＳ２００に対する同期処理を行う。また、スキャン処理の結果、同期可能な他のＢＳ２００が存在する場合には、ネットワークディスカバリ処理部１２３は、無線送受信処理部１１０を介して、同期可能な他のＢＳ２００から送信されるフレーム４００を受信する。更に、後に詳述するように、ネットワークディスカバリ処理部１２３は、受信したフレーム４００から、他のＢＳ２００が属するＮＡＰ２１０のＮＡＰ  ＩＤ及び他のＢＳ２００を介してサービスを利用可能なＮＳＰ３１０のＮＳＰ  ＩＤを取得する。
【００６３】
尚、ネットワークディスカバリ処理部１２３がスキャン処理を行うＢＳ２００は、ＳＢＳ２００が属するＮＡＰ２１０とは異なるＮＡＰ２１０に属するＢＳ２００であることが好ましい。
【００６４】
隣接情報受信部１２５は、無線送受信処理部１１０を介して、ＳＢＳ２００から隣接ＢＳ情報メッセージ（例えば、後述のＭＯＢ＿ＮＢＲ＿ＡＤＶメッセージ）を受信する。各ＢＳ２００は、定期的に又は不定期的に、各ＢＳ２００に隣接する（言い換えれば、各ＢＳ２００に近接する又は各ＢＳ２００から所定距離内に位置する）他のＢＳ２００の存在を検出している。その結果、各ＢＳ２００は、検出された他のＢＳ２００のＢＳ  ＩＤを含む隣接ＢＳ情報メッセージをＭＳ１００に対して送信する。また、隣接情報受信部１２５は、隣接ＢＳ情報メッセージ（或いは、隣接ＢＳ情報メッセージに含まれるＢＳ  ＩＤ）を、利用可能ＢＳリスト１３１に格納する。
【００６５】
尚、隣接情報受信部１２５が受信する隣接ＢＳメッセージは、ＳＢＳ２００が属するＮＡＰ２１０に属すると共にＳＢＳ２００に隣接するＢＳ２００であることが好ましい。
【００６６】
ディスカバリトリガ判定部１２６は、ＳＢＳ２００の電波強度が所定の閾値以下に低下している場合に、ハンドオーバー候補となり得る他のＢＳ２００が、ＳＢＳ２００が属するＮＡＰ２１０中に存在するか否かを判定する。
【００６７】
ディスカバリタイミング制御部１２７は、無線送受信処理部１１０を介して、ＢＳ２００より送信されるタイミング情報（例えば、後述のＢ．Ｃ．Ｐｏｉｎｔｅｒメッセージ４１５）を取得する。また、ディスカバリタイミング制御部１２７は、タイミング情報が示すＳＩＩ−ＡＤＶメッセージ４２１の送信タイミングに合わせて、ＭＳ１００を、ＳＩＩ−ＡＤＶメッセージ４２１を送信するＢＳ１００に同期させる。
【００６８】
ＮＡＰ切替判定部１２８は、ＳＢＳ２００が属するＮＡＰ２１０中にハンドオーバー候補となり得る他のＢＳ２００が存在していない状態でＳＢＳ２００とのコネクションが切れた場合に、他のＮＡＰ２１０に属するＢＳ２００とのコネクションを確立させるように、制御部１２０内の各部（特に、ネットワークエントリ処理部１２３等）を制御する。
【００６９】
メモリ１３０は、ＭＳ１００内部で使用するデータを一時的に格納する記憶領域を含んでいる。また、メモリ１３０は、ＭＳ１００としての動作を行うためのプログラム（即ち、ファームウェア）が格納される記憶領域等を含んでいてもよい。このようなメモリ１３０としては、例えばＲＡＭ（Random Access Memory）等の半導体メモリや、その他の各種記録媒体が一例としてあげられる。
【００７０】
また、メモリ１３０は、その内部に、利用可能ＢＳリスト１３１と、周波数リスト１３２と、ディスカバリＮＡＰ／ＮＳＰリスト１３３と、好適ＮＡＰ／ＮＳＰリスト１３４とを格納している。
【００７１】
利用可能ＢＳリスト１３１は、隣接ＢＳ情報メッセージが示すＢＳ２００のリストを含んでいる。つまり、利用可能ＢＳリスト１３１は、ＳＢＳ２００に隣接するＢＳ２００のリストを含んでいる。この利用可能ＢＳリスト１３１中に示されるＢＳ２００は、ハンドオーバー候補となり得る。
【００７２】
周波数リスト１３２は、無線通信システム１０００における無線通信に用いられる周波数のリストを含んでいる。この周波数のリストは、ＭＳ１００のメモリ１３０内に予めプリセットされていることが好ましい。
【００７３】
ディスカバリＮＡＰ／ＮＳＰリスト１３３は、ネットワークディスカバリ処理部１２４による処理の結果取得されたＮＡＰ  ＩＤ及びＮＳＰ  ＩＤのリストを含んでいる。
【００７４】
好適ＮＡＰ／ＮＳＰリスト１３４は、ＭＳ１００が接続するべきＮＡＰ２１０及びＮＳＰ３１０の優先度を示すリストを含んでいる。この好適ＮＡＰ／ＮＳＰリスト１３４は、ＭＳ１００のメモリ１３０内に予めプリセットされていることが好ましいが、好適ＮＡＰ／ＮＳＰリスト１３４を適宜生成又は更新するように構成してもよい。
【００７５】
（２−４）無線通信システムの動作
続いて、図７を参照して、第２実施形態に係る無線通信システム１０００の動作の流れについて説明する。ここに、図７は、第２実施形態に係る無線通信システム１０００の動作の全体の流れを概念的に示すフローチャートである。
【００７６】
図７に示すように、ＭＳ１００とＢＳ２００との間のコネクションが確立されていない初期状態（例えば、ＭＳ１００の電源がＯＮに切り替わった直後の状態）において、まず、ＭＳ１００と複数のＢＳ２００のうちのいずれか一つのＢＳ２００との間のコネクションを確立するための初期接続処理が行われる（ステップＳ１０）。ここでは、ＭＳ１００とＮＡＰ（＃１）２１０に属するＢＳ２００との間のコネクションを確立するための初期接続が行われるものとする。
【００７７】
続いて、コネクションが確立されたＢＳ２００（つまり、ＳＢＳ２００）とＭＳ１００との間の無線通信（つまり、無線によるデータの送受信）が開始される。その結果、ＭＳ１００は、ＳＢＳ２００（言い換えれば、ＳＢＳ２００が属するＮＡＰ（＃１）２１０）を介して、ＮＳＰ（＃１）３１０が提供するサービスを受けることができる。
【００７８】
この無線通信に続いて又は並行して、ＭＳ１００は、ハンドオーバー候補となり得る他のＢＳ２００が、ＳＢＳ２００が属するＮＡＰ（＃１）２１０中に存在するか否かを検出する（ステップＳ２０）。例えば、ＳＢＳ２００以外の他のＢＳ２００に対応するセルから離れた位置にＭＳ１００が存在する或いはＮＡＰ（＃１）２１０が提供する無線アクセス網の境界付近にＭＳ１００が存在する場合には、ハンドオーバー候補となり得る他のＢＳ２００が、ＳＢＳ２００が属するＮＡＰ（＃１）２１０中に存在しないと検出され得る。
【００７９】
ステップＳ２０における判定の結果、ハンドオーバー候補となり得る他のＢＳ２００が、ＳＢＳ２００が属するＮＡＰ（＃１）２１０に存在していなければ、ＭＳ１００は、ＮＡＰ（＃１）２１０とは異なるＮＡＰ（＃２）２１０（或いは、図３には図示されていない他のＮＡＰ２１０）に属するＢＳ２００からＳＩＩ−ＡＤＶ４２１メッセージを取得する（ステップＳ３０）。
【００８０】
その後、実際にＳＢＳ２００と無線通信することができなくなる（或いは、コネクションが切断される）状態になった場合には、ＭＳ１００は、ステップＳ３０において取得されたＳＩＩ−ＡＤＶメッセージ４２１を参照しながら、ＮＡＰ（＃２）２１０（或いは、図３には図示されていない他のＮＡＰ２１０）に属するＢＳ２００との間のコネクションを確立するための再接続処理を行う（ステップＳ４０）。
【００８１】
続いて、図７に示したステップＳ１０からステップＳ４０の夫々の処理について、図８から図１７を参照しながら、より詳細に説明する。
【００８２】
（２−４−１）初期接続処理
初めに、図８及び図９を参照して、図７のステップＳ１０における「初期接続処理」について説明する。ここに、図８は、初期接続処理の流れを概念的に示すフローチャートであり、図９は、周波数リスト１３２を概念的に示す表である。
【００８３】
図８に示すように、ＭＳ１００とＢＳ２００との間のコネクションが確立されていない初期状態であっても、ＢＳ２００は、制御部２０３の制御の下に、ＳＩＩ−ＡＤＶメッセージ４２１を含むＤＬサブフレーム部分４２０やＤＬ−ＭＡＰ４１３を含むヘッダ部分４１０を含むフレーム４００を送信している（ステップＳ１１１・ステップＳ１１２）。
【００８４】
また、ＭＳ１００が備える無線送受信処理部１１０は、周波数リスト１３２にリストされている周波数に対して順次同期処理を行う。つまり、周波数リスト１３２にリストされている周波数を用いて無線通信を行うＢＳ２００との同期処理を行う。
【００８５】
ここで、図９に示すように、周波数リスト１３２は、例えば、中心周波数と帯域幅とが組みとなったリストである。無線送受信処理部１１０は、無線送受信処理部１１０が利用する周波数を、周波数リスト１３２に示される中心周波数に応じて順次切り替えながら、ＢＳ２００との同期を図る。
【００８６】
その結果、ＭＳ１００は、同期が取れたＢＳ２００からフレーム４００を受信する。その後、ＭＳ１００は、制御部１２０の制御の下に、受信したフレーム４００に含まれるＤＬ−ＭＡＰ４１３を参照することで、フレーム４００を送信したＢＳ２００が属するＮＡＰ２１０のＮＡＰ  ＩＤを取得する（ステップＳ１０１）。更に、ＭＳ１００は、制御部１２０の制御の下に、受信したフレーム４００に含まれるＤＬサブフレーム４２０部分を参照することで、フレーム４００を送信したＢＳ２００を介してサービスを提供するＮＳＰ３１０のＮＳＰ  ＩＤを取得する（ステップＳ１０２）。尚、図８では、初めに、ＮＡＰ（＃１）２１０に属するＢＳ（＃１）２００からＢＳ（＃４）のいずれかと同期が取れた場合の例を示している。従って、ステップＳ１０１及びステップＳ１０２において、ＮＡＰ（＃１）２１０のＮＡＰ  ＩＤとＮＳＰ（＃１）３１０のＮＳＰ  ＩＤとが取得される。
【００８７】
その後、ＭＳ１００は、無線送受信処理部１１０が利用する周波数を更に切り替えると共に、新たに同期が取れた他のＢＳ２００からフレーム４００を受信することで、他のＢＳ２００が属するＮＡＰ２１０のＮＡＰ  ＩＤ及び他のＢＳ２００を介してサービスを提供するＮＳＰ３１０のＮＳＰ  ＩＤを取得する（ステップＳ１０３・Ｓ１０４）。尚、図８では、ＮＡＰ（＃２）２１０に属するＢＳ（＃５）２００からＢＳ（＃８）のいずれかと同期が取れた場合の例を示している。従って、ステップＳ１０３及びステップＳ１０４において、ＮＡＰ（＃２）２１０のＮＡＰ  ＩＤとＮＳＰ（＃２）３１０のＮＳＰ  ＩＤとが取得される。
【００８８】
ＭＳ１００は、以上のようなＤＬ−ＭＡＰ４１３及びＳＩＩ−ＡＤＶメッセージ４２１の取得動作（つまり、ＮＡＰ  ＩＤ及びＮＳＰ  ＩＤの取得動作）を、周波数リスト１３２にプリセットされた中心周波数の全てを対象として行う。
【００８９】
その後、ＭＳ１００は、制御部１２０の制御の下に、取得したＮＡＰ  ＩＤが示すＮＡＰ２１０の中から、ＭＳ１００が実際に無線通信を行うＮＡＰ２１０を選択すると共に、取得したＮＳＰ  ＩＤが示すＮＳＰ３１０の中から、ＭＳ１００が実際にサービスの提供を受けるＮＳＰ３１０を選択する（ステップＳ１０５）。ここでは、例えば後述する好適ＮＡＰ／ＮＳＰリスト１３４に基づいて、ＭＳ１００が実際に無線通信を行うＮＡＰ２１０及びＭＳ１００が実際にサービスの提供を受けるＮＳＰ３１０が選択されてもよい。或いは、取得したＮＡＰ  ＩＤが示すＮＡＰ２１０及び取得したＮＳＰ  ＩＤが示すＮＳＰ３１０をＭＳ１００のユーザに提示すると共に、所望のＮＡＰ２１０及び所望のＮＳＰ３１０をユーザに選択させるように構成してもよい。尚、ここでは、上述したように、ＮＡＰ（＃１）２１０及びＮＳＰ（＃１）３１０が選択されるものとする。
【００９０】
その後、ＭＳ１００が備えるネットワークエントリ処理部１２３は、選択されたＮＡＰ（＃１）２１０に属するＢＳ２００をターゲットとして、ネットワークエントリ処理を行う（ステップＳ１０６）。また、ネットワークエントリ処理のターゲットとなるＢＳ２００も同様に、ネットワークエントリ処理部２０６の動作により、ネットワークエントリ処理を行う（ステップＳ１１３）。その結果、ＭＳ１００と、ＮＡＰ（＃１）２１０に属するＢＳ２００との間のコネクションが確立する。
【００９１】
（２−４−２）ハンドオーバー可能ＢＳの検出処理
続いて、図１０及び図１１を参照して、図７のステップＳ２０における「ハンドオーバー候補となり得る他のＢＳ２００が、ＳＢＳ２００が属するＮＡＰ（＃１）２１０に存在するか否かを検出する処理」について説明する。ここに、図１０は、ハンドオーバー候補となり得る他のＢＳ２００が、ＳＢＳ２００が属するＮＡＰ（＃１）２１０に存在するか否かを検出する処理の流れを概念的に示すフローチャートであり、図１１は、利用可能ＢＳリスト１３１を概念的に示す表である。尚、以下の説明では、ＭＳ１００とＢＳ（＃４）との間のコネクションが確立している（言い換えれば、ＭＳ１００がＢＳ（＃４）と無線通信を行っている）状態を前提として説明を進めるが、ＢＳ（＃４）２００以外のＢＳ２００とのコネクションが確立している場合も同様の動作を行うことができる。
【００９２】
図１０に示すように、ＭＳ１００とのコネクションが確立しているＢＳ（＃４）２００（つまり、ＳＢＳ２００）は、制御部２０３の制御の下に、隣接ＢＳ情報メッセージであるＭＯＢ＿ＮＢＲ＿ＡＤＶメッセージをＭＳ１００に対して送信する（ステップＳ２２１）。尚、ここでは、図３に示すＢＳ（＃２）２００及びＢＳ（＃３）２００がＳＢＳ２００に隣接し、且つ図３に示すＢＳ（＃１）２００がＳＢＳ２００に隣接していない場合の例について説明する。このため、ＭＯＢ＿ＮＢＲ＿ＡＤＶメッセージには、ＢＳ（＃２）２００及びＢＳ（＃３）２００の夫々のＢＳ  ＩＤが含まれる。
【００９３】
ＳＢＳ２００より送信されるＭＯＢ＿ＮＢＲ＿ＡＤＶメッセージは、ＭＳ１００が備える隣接情報受信部１２５によって受信される（ステップＳ２０１）と共に、利用可能ＢＳリスト１３１に登録される（ステップＳ２０２）。
【００９４】
その後、ＭＳ１００は、ＳＢＳ２００との間でフレーム４００の送受信を行いつつ、電波強度測定部１２２の動作により、ＳＢＳ２００の電波強度であるＣＩＮＲを測定する（ステップＳ２０３）。例えば、ＭＳ１００は、受信したフレーム４００のプリアンブル信号４１１のＣＩＮＲを測定する
ここで、ＭＳ１００は、制御部１２０の制御の下に、ＳＢＳ２００の電波強度であるＣＩＮＲが所定の閾値ＣＩＮＲ＿ｓｃａｎよりも小さいか否かを判定する（ステップＳ２０４）。
【００９５】
ステップＳ２０４の判定の結果、ＳＢＳ２００の電波強度であるＣＩＮＲが所定の閾値ＣＩＮＲ＿ｓｃａｎよりも小さくないと判定された場合には（ステップＳ２０４：Ｎｏ）、ステップＳ２０３へ戻り、ＳＢＳ２００との間でフレーム４００の送受信を行いつつ、ＳＢＳ２００の電波強度であるＣＩＮＲの測定を継続する。
【００９６】
他方、ステップＳ２０４の判定の結果、ＳＢＳ２００の電波強度であるＣＩＮＲが所定の閾値ＣＩＮＲ＿ｓｃａｎよりも小さいと判定された場合には（ステップＳ２０４：Ｙｅｓ）、ＭＳ１００は、利用可能ＢＳリスト１３１に登録されているＢＳ２００の電波強度の測定（つまり、スキャン処理）を行う。つまり、ＭＳ１００は、ＳＢＳ２００に隣接する他のＢＳ（＃２）２００及びＢＳ（＃３）２００の電波強度の測定を行う。
【００９７】
具体的には、まず、ＭＳ１００は、制御部１２０の制御の下に、スキャン対象周波数を選択する（ステップＳ２０５）。具体的には、ＭＳ１００は、利用可能ＢＳリスト１３１に登録されているＢＳ２００が利用している周波数を、スキャン対象周波数として選択する。従って、ここでは、ＭＳ１００は、ＢＳ（＃２）２００が利用している周波数及びＢＳ（＃３）２００が利用している周波数の夫々を、スキャン対象周波数として順次選択する。
【００９８】
その後、ＭＳ１００は、ＳＢＳ２００との間の無線通信を一時的に停止するために、スキャン要求部１２１の動作により、ＳＢＳ２００に対して、スキャン要求メッセージであるＭＯＢ＿ＳＣＮ＿ＲＥＱメッセージを送信する（ステップＳ２０６）。このＭＯＢ＿ＳＣＮ＿ＲＥＱメッセージは、ＳＢＳ２００が無線通信を一時的に停止する期間を指定していることが好ましい。
【００９９】
ＭＳ１００からＭＯＢ＿ＳＣＮ＿ＲＥＱメッセージを受信したＳＢＳ２００は、制御部２０３の制御の下に、ＭＳ１００に対して、ＭＯＢ＿ＳＣＮ＿ＲＥＱメッセージを受信したことを示すスキャン応答メッセージであるＭＯＢ＿ＳＣＮ＿ＲＳＰメッセージを送信する（ステップＳ２２２）。その後、ＳＢＳ２００は、ＭＯＢ＿ＳＣＮ＿ＲＥＱメッセージによって指定された期間は、ＭＳ１００との間の無線通信を一時的に停止する（ステップＳ２２３）。つまり、ＳＢＳ２００は、ＭＳ１００に対するデータの送受信を一時的に停止する。
【０１００】
その後、ＳＢＳ２００からＭＯＢ＿ＳＣＮ＿ＲＳＰメッセージを受信したＭＳ１００は、無線送受信処理部１１０の動作により、無線送受信処理部１１０が利用する周波数を、ステップＳ２０５において選択されたスキャン対象周波数に切り替える（ステップＳ２０７）。その後、電波強度測定部１２２は、スキャン対象周波数を利用するＢＳ２００の電波強度を測定する。具体的には、ＭＳ１００は、無線送受信処理部１１０の動作により、無線送受信処理部１１０が利用する周波数をＢＳ（＃２）２００が使用する周波数に切り替えると共に、電波強度測定部１２２の動作により、ＢＳ（＃２）２００の電波強度を測定する。同様に、ＭＳ１００は、無線送受信処理部１１０の動作により、無線送受信処理部１１０が利用する周波数をＢＳ（＃３）２００が使用する周波数に切り替えると共に、電波強度測定部１２２の動作により、ＢＳ（＃３）２００の電波強度を測定する。
【０１０１】
尚、ＳＢＳ２００からＭＯＢ＿ＮＢＲ＿ＡＤＶメッセージが送信されるタイミングによっては、ステップＳ２０３からステップＳ２０７の動作が、ステップＳ２０１におけるＭＯＢ＿ＮＢＲ＿ＡＤＶメッセージの受信動作よりも先に行われることもあり得る。この場合は、例えば、周波数リスト１３１にプリセットされている中心周波数のうち電波強度が最も強い周波数に対応するＢＳ２００に対して上述したスキャン処理を行ってもよい。
【０１０２】
測定された電波強度は、ＢＳ  ＩＤと対応付けながら利用可能ＢＳリスト１３１に登録される（ステップＳ２０８）。その結果、利用可能リスト１３２は、図１１に示すように、ＢＳ  ＩＤとＢＳ  ＩＤが示すＢＳ２００の電波強度とが組みになったリストとなる。
【０１０３】
その後、ＭＳ１００は、ディスカバリトリガ判定部１２６の動作により、ステップＳ２０３において測定したＳＢＳ２００の電波強度であるＣＩＮＲが、ステップＳ２０４における判定動作に用いられる閾値ＣＩＮＲ＿ｓｃａｎよりも小さい所定の閾値ＣＩＮＲ＿ｄｓｃｖよりも小さいか否かを判定する（ステップＳ２０９）。
【０１０４】
ステップＳ２０９における判定の結果、ＳＢＳ２００の電波強度であるＣＩＮＲが所定の閾値ＣＩＮＲ＿ｄｓｃｖよりも小さくないと判定された場合には（ステップＳ２０９：Ｎｏ）、ステップＳ２０３へ戻り、ステップＳ２０３からステップＳ２０８の動作を繰り返す。
【０１０５】
他方で、ステップＳ２０９における判定の結果、ＳＢＳ２００の電波強度であるＣＩＮＲが所定の閾値ＣＩＮＲ＿ｄｓｃｖよりも小さいと判定された場合には（ステップＳ２０９：Ｙｅｓ）、続いて、ＭＳ１００は、ディスカバリトリガ判定部１２６の動作により、ハンドオーバー可能なＢＳ２００が、ＳＢＳ２００が属するＮＡＰ（＃１）２１０中に存在しているか否かを判定する（ステップＳ２１０）。
【０１０６】
具体的には、ＭＳ１００は、利用可能ＢＳリスト１３２に登録されているＢＳ  ＩＤが示すＢＳ（＃２）２００及びＢＳ（＃３）２００にハンドオーバー可能であるか否かを判定する。この判定動作は、利用可能ＢＳリスト１３２に登録されているＢＳ（＃２）２００及びＢＳ（＃３）２００の夫々の電波強度に基づいて行われる。例えば、利用可能ＢＳリスト１３２に登録されているＢＳ  ＩＤが示すＢＳ（＃２）２００及びＢＳ（＃３）２００の少なくとも一方の電波強度が、無線通信を行うことが可能な電波強度を示す所定の閾値ＣＩＮＲ＿ＨＯ以上である場合には、ハンドオーバー可能なＢＳ２００がＮＡＰ（＃１）２１０中に存在すると判定される。他方で、利用可能ＢＳリスト１３２に登録されているＢＳ  ＩＤが示すＢＳ（＃２）２００及びＢＳ（＃３）２００の双方の電波強度が、所定の閾値ＣＩＮＲ＿ＨＯよりも小さい場合には、ハンドオーバー可能なＢＳ２００がＮＡＰ（＃１）２１０中に存在しないと判定される。
【０１０７】
ステップＳ２１０における判定の結果、ハンドオーバー可能なＢＳ２００が、ＳＢＳ２００が属するＮＡＰ（＃１）２１０中に存在すると判定された場合には（ステップＳ２１０：Ｙｅｓ）、ステップＳ２０３へ戻り、ステップＳ２０３からステップＳ２０９の動作を繰り返す。このとき、ＳＢＳ２００との間の無線通信を継続して行ってもよい。或いは、ＳＢＳ２００の電波強度によっては、実際にＢＳ（＃２）やＢＳ（＃３）へのハンドオーバーを行ってもよい。
【０１０８】
他方で、ステップＳ２１０における判定の結果、ハンドオーバー可能なＢＳ２００が、ＳＢＳ２００が属するＮＡＰ（＃１）２１０中に存在しないと判定された場合には（ステップＳ２１０：Ｎｏ）、ＭＳ１００は、ＮＡＰ（＃１）２１０とは異なるＮＡＰ（＃２）２１０（或いは、図３には図示されていない他のＮＡＰ２１０）に属するＢＳ２００からＳＩＩ−ＡＤＶメッセージ４２１を取得する（図７のステップＳ３０参照）。
【０１０９】
（２−４−３）他のＮＡＰからのＳＩＩ−ＡＤＶメッセージの取得処理
続いて、図１２から図１５を参照して、図７のステップＳ３０における「ＳＢＳ２００が属するＮＡＰ２１０とは異なる他のＮＡＰ２１０からのＳＩＩ−ＡＤＶメッセージ４２１の取得処理」について説明する。ここに、図１２は、ＳＢＳ２００が属するＮＡＰ２１０とは異なる他のＮＡＰ２１０からのＳＩＩ−ＡＤＶメッセージ４２１の取得処理の流れを概念的に示すフローチャートであり、図１３は、フレーム４００中のＤＬ−ＭＡＰ４１３に含まれるＢ．Ｃ．Ｐｏｉｎｔｅｒメッセージのデータ構造を示すデータ構造図であり、図１４は、フレーム４００中のＤＬサブフレーム４２０に含まれるＳＩＩ−ＡＤＶメッセージ４２１のデータ構造を示すデータ構造図であり、図１５は、ディスカバリＮＡＰ／ＮＳＰリスト１３３を概念的に示す表である。
【０１１０】
図１２に示すように、まず、ＭＳ１００は、周波数リスト１３２を参照することで、ＳＩＩ−ＡＤＶメッセージ４２１を取得するために無線送受信処理部１１０が使用する周波数を選択する（ステップＳ３０１）。例えば、周波数リスト１３２の１番目に示されている中心周波数を、ＳＩＩ−ＡＤＶメッセージ４２１を取得するために無線送受信処理部１１０が使用する周波数として選択してもよい。
【０１１１】
その後、ＭＳ１００は、ＳＢＳ２００との間の無線通信を一時的に停止するために、スキャン要求部１２１の動作により、ＳＢＳ２００に対して、ＭＯＢ＿ＳＣＮ＿ＲＥＱメッセージを送信する（ステップＳ３０２）。
【０１１２】
ＭＳ１００からＭＯＢ＿ＳＣＮ＿ＲＥＱメッセージを受信したＳＢＳ２００は、制御部２０３の制御の下に、ＭＳ１００に対して、ＭＯＢ＿ＳＣＮ＿ＲＳＰメッセージを送信する（ステップＳ３１１）。その後、ＳＢＳ２００は、ＭＯＢ＿ＳＣＮ＿ＲＥＱメッセージによって指定された期間は、ＭＳ１００との間の無線通信を一時的に停止する（ステップＳ３１２）。
【０１１３】
その後、ＳＢＳ２００からＭＯＢ＿ＳＣＮ＿ＲＳＰメッセージを受信したＭＳ１００は、ＭＯＢ＿ＳＣＮ＿ＲＥＱメッセージにて指定された期間になると、ディスカバリタイミング制御部１２７の制御の下に、無線送受信処理部１１０が利用する周波数を、ステップＳ３０１において選択された周波数に切り替える（ステップＳ３０３）。その結果、ＭＳ１００は、ステップＳ３０１において選択された周波数を使用しているＮＡＰ（＃２）に属するＢＳ２００に同期する。尚、ここでは、ＭＳ１００が、ＮＡＰ（＃２）に属するＢＳ（＃５）２００に同期した例について説明する。
【０１１４】
ＢＳ（＃５）２００は、制御部２０３の制御の下に、フレーム４００を送信している。ここで、第２実施形態においては、各ＢＳ２００は、網構成情報送信部２０５の動作により、ＳＩＩ−ＡＤＶメッセージ４２１の送信タイミングを示すＢ．Ｃ．Ｐｏｉｎｔｅｒメッセージ４１５をＤＬ−ＭＡＰ４１３中に含んでいるフレーム４００を送信する（ステップＳ３２１）。
【０１１５】
尚、網構成情報送信部２０５は、Ｂ．Ｃ．Ｐｏｉｎｔｅｒメッセージ４１５の送信頻度が、ＳＩＩ−ＡＤＶメッセージ４２１の送信頻度よりも高くなるように、フレーム４００を送信することが好ましい。例えば、ＳＩＩ−ＡＤＶメッセージ４２１が５秒に１回送信されるとすれば、網構成情報送信部２０５は、Ｂ．Ｃ．Ｐｏｉｎｔｅｒメッセージ４１５が５秒以下の頻度で送信されるようにフレーム４００を送信することが好ましい。
【０１１６】
その結果、ＭＳ１００は、ネットワークディスカバリ処理部１２４の動作により、ＢＳ（＃５）２００から送信されるフレーム４００を取得する。その後、ＭＳ１００は、ネットワークディスカバリ処理部１２４の動作により、取得したフレーム４００からＢ．Ｃ．Ｐｏｉｎｔｅｒメッセージ４１５を取得する（ステップＳ３０４）。取得したＢ．Ｃ．Ｐｏｉｎｔｅｒメッセージ４１５は、ネットワークディスカバリ処理部１２４からディスカバリタイミング制御部１２７へと出力される。
【０１１７】
また、このとき、ＭＳ１００は、ネットワークディスカバリ制御部１２４の動作により、取得したフレーム４００からＤＬ−ＭＡＰ４１３に含まれるＮＡＰ  ＩＤを取得することが好ましい。また、取得したＮＡＰ  ＩＤは、ディスカバリＮＡＰ／ＮＳＰリスト１３３に登録されることが好ましい。
【０１１８】
ここで、図１３を参照して、ＤＬ−ＭＡＰ４１３に含まれるＢ．Ｃ．Ｐｏｉｎｔｅｒメッセージ４１５のデータ構造について説明する。図１３に示すように、ＤＬ−ＭＡＰ４１３に含まれるＢ．Ｃ．Ｐｏｉｎｔｅｒメッセージ４１５は、拡張ＤＩＵＣ（Extended Downlink Interval Usage Code）フィールドと、レングス（Length）フィールドと、ＤＣＤ＿ＵＣＤ送信フレーム（Downlink Channel Description#Uplink Channel Description Transmission Frame）フィールドと、ブロードキャストシステム更新スキップフラグ（Skip Broadcast#System#update）フィールドと、ブロードキャストシステム更新タイプ（Broadcast#System#update#type）フィールドと、ブロードキャストシステム更新送信フレーム（Broadcast#System#update#Transmission#Frame）フィールドと、ＳＩＩ−ＡＤＶスキップフラグ（Skip SII-ADV）フィールドと、ＳＩＩ−ＡＤＶ送信フレーム（SII-ADV Transmission Frame）フィールドとを含んでいる。
【０１１９】
拡張ＤＩＵＣフィールドは、４バイトのサイズを有するフィールドであって、Ｂ．Ｃ．Ｐｏｉｎｔｅｒメッセージ４１５であることを示す識別番号である“0x0a”が格納される。
【０１２０】
レングスフィールドは、４ビットのサイズを有するフィールドであって、レングスフィールド以降のフィールドのサイズを示す情報が格納される。
【０１２１】
ＤＣＤ＿ＵＣＤ送信フレーム（DCD#UCD Transmission Frame）フィールドは、７ビットのサイズを有するフィールドであって、次のＤＣＤメッセージ及び次のＵＣＤメッセージの少なくとも一方を送信するフレーム４００の番号（特に、その下位７ビット）が格納される。
【０１２２】
ブロードキャストシステム更新スキップフラグフィールドは、１ビットのサイズを有するフィールドであって、フレーム４００に、システム全体の更新情報が含まれているか否かを示す情報が格納される。具体的には、例えば、ブロードキャストシステム更新スキップフラグフィールドに“０”が格納されている場合には、フレーム４００に、システム全体の更新情報が含まれている。他方で、例えば、ブロードキャストシステム更新スキップフラグフィールドに“１”が格納されている場合には、フレーム４００に、システム全体の更新情報が含まれていない。また、システム全体の更新情報としては、例えば上述したＭＯＢ＿ＮＢＲ＿ＡＤＶメッセージや、エマージェンシーサービスメッセージ等が一例としてあげられる。
【０１２３】
ブロードキャストシステム更新タイプフィールドは、１ビットのサイズを有するフィールドであって、フレーム４００に含まれているシステム全体の更新情報の種類を示す情報が格納される。例えば、ブロードキャストシステム更新タイプフィールドに“０”が格納されている場合には、フレーム４００に、ＭＯＢ＿ＮＢＲ＿ＡＤＶメッセージが含まれている。他方で、例えば、ブロードキャストシステム更新タイプフィールドに“１”が格納されている場合には、フレーム４００に、エマージェンシーサービスメッセージが含まれている。
【０１２４】
ブロードキャストシステム更新送信フレームフィールドは、７ビットのサイズを有するフィールドであって、次のＭＯＢ＿ＮＢＲ＿ＡＤＶメッセージ及び次のエマージェンシーサービスメッセージの少なくとも一方を送信するフレーム４００の番号（特に、その下位７ビット）が格納される。
【０１２５】
尚、ブロードキャストシステム更新タイプフィールドとブロードキャストシステム更新送信フレームフィールドとは、ブロードキャストシステム更新スキップフラグフィールドに“１”が格納されている場合には、利用されない又は参照されなくともよい。
【０１２６】
ＳＩＩ−ＡＤＶスキップフラグフィールドは、１ビットのサイズを有するフィールドであって、フレーム４００に、ＳＩＩ−ＡＤＶ４２１が含まれているか否かを示す情報が格納される。具体的には、例えば、ＳＩＩ−ＡＤＶスキップフラグフィールドに“０”が格納されている場合には、フレーム４００に、ＳＩＩ−ＡＤＶ４２１が含まれている。他方で、例えば、ＳＩＩ−ＡＤＶスキップフラグフィールドに“１”が格納されている場合には、フレーム４００に、ＳＩＩ−ＡＤＶ４２１が含まれていない。
【０１２７】
ＳＩＩ−ＡＤＶ送信フレームフィールドは、７ビットのサイズを有するフィールドであって、次のＳＩＩ−ＡＤＶメッセージを送信するフレーム４００の番号（特に、その下位７ビット）が格納される。
【０１２８】
尚、ＳＩＩ−ＡＤＶ送信フレームフィールドは、ＳＩＩ−ＡＤＶスキップフラグフィールドに“１”が格納されている場合には、利用されない又は参照されなくともよい。
【０１２９】
再び図１２において、その後、ステップＳ３０２において送信されたスキャン要求メッセージＭＯＢ＿ＳＣＮ＿ＲＥＱにて指定された期間の終了と共に、ＭＳ１００は、無線送受信処理部１１０が使用する周波数を、ＳＢＳ２００が使用する周波数に戻す。また、ＳＢＳ２００は、ＭＳ１００との間の無線通信を再開する（ステップＳ３１３）。つまり、ＳＢＳ２００は、ＭＳ１００に対するデータの送受信を再開する。
【０１３０】
続いて、ＭＳ１００は、ディスカバリタイミング制御部１２７の動作により、ステップＳ３０４において取得したＢ．Ｃ．Ｐｏｉｎｔｅｒメッセージ４１５中のＳＩＩ−ＡＤＶ送信フレームフィールドが示すタイミング（つまり、次のＳＩＩ−ＡＤＶメッセージ４２１が送信されるタイミング）で、ＳＢＳ２００との間の無線通信を一時的に停止させる。具体的には、ＭＳ１００は、ディスカバリタイミング制御部１２７の制御を受けるスキャン要求部１２１の動作により、ＳＢＳ２００に対して、ステップＳ３０４において取得したＢ．Ｃ．Ｐｏｉｎｔｅｒ４１５中のＳＩＩ−ＡＤＶ送信フレームフィールドが示すタイミングで、スキャン要求メッセージであるＭＯＢ＿ＳＣＮ＿ＲＥＱを送信する（ステップＳ３０５）。
【０１３１】
ＭＳ１００からスキャン要求メッセージＭＯＢ＿ＳＣＮ＿ＲＥＱを受信したＳＢＳ２００は、ＭＳ１００に対して、スキャン応答メッセージＭＯＢ＿ＳＣＮ＿ＲＳＰを送信する（ステップＳ３１４）。その後、ＳＢＳ２００は、スキャン要求メッセージＭＯＢ＿ＳＣＮ＿ＲＥＱによって指定された期間は、ＭＳ１００との間の無線通信を一時的に停止する（ステップＳ３１５）。
【０１３２】
その後、ＳＢＳ２００からスキャン応答メッセージＭＯＢ＿ＳＣＮ＿ＲＳＰを受信したＭＳ１００は、スキャン要求メッセージＭＯＢ＿ＳＣＮ＿ＲＥＱにて指定された期間になると、ディスカバリタイミング制御部１２７の制御の下に、無線送受信処理部１１０が利用する周波数を、ステップＳ３０１において選択された周波数に切り替える（ステップＳ３０６）。また、この期間には、ＢＳ（＃５）２００からＳＩＩ−ＡＤＶメッセージ４２１を含むフレームが送信される（ステップＳ３２２）。その結果、ＭＳ１００は、ネットワークディスカバリ処理部１２４の動作により、ＳＩＩ−ＡＤＶメッセージ４２１を取得する（ステップＳ３０７）。このとき、ＳＩＩ−ＡＤＶメッセージ４２１に含まれるＮＳＰ  ＩＤは、ディスカバリＮＡＰ／ＮＳＰリスト１３３に登録される。
【０１３３】
ここで、図１４を参照して、ＳＩＩ−ＡＤＶメッセージ４２１のデータ構造について説明する。図１４に示すように、ＳＩＩ−ＡＤＶメッセージ４２１は、管理メッセージタイプ（Management message）フィールドと、ＴＬＶタイプフィールドと、レングスフィールドと、ＮＳＰ  ＩＤ（ｋ（但し、ｋは、１≦ｋ≦ｎを満たす整数）フィールドと、ＴＬＶタイプフィールドと、ＮＳＰ名称レングス（ｋ）フィールドと、ＮＳＰ名称（ｋ）フィールドとを含んでいる。
【０１３４】
これらのフィールドのうち、ＮＳＰ  ＩＤ（ｋ）フィールドによって、ＢＳ２００を介してサービスの提供を受けることができるＮＳＰ３１０のＮＳＰ  ＩＤが特定される。また、ＮＳＰ名称レングス（ｋ）フィールド及びＮＳＰ名称（ｋ）フィールドによって、ＢＳ２００を介してサービスの提供を受けることができるＮＳＰ３１０の名称が特定される。
【０１３５】
再び図１２において、その後、ステップＳ３０５において送信されたスキャン要求メッセージＭＯＢ＿ＳＣＮ＿ＲＥＱにて指定された期間の終了と共に、ＭＳ１００は、無線送受信処理部１１０が使用する周波数を、ＳＢＳ２００が使用する周波数に戻す。また、ＳＢＳ２００は、ＭＳ１００との間の無線通信を再開する（ステップＳ３１６）。つまり、ＳＢＳ２００は、ＭＳ１００に対するデータの送受信を再開する。
【０１３６】
その後、ＭＳ１００は、周波数リスト１３２に示される全ての中心周波数に対して、ステップＳ３０２からステップＳ３０７の動作が行われたか否かを判定する（ステップＳ３０８）。
【０１３７】
ステップＳ３０８の判定の結果、周波数リスト１３２に示される全ての中心周波数に対して、ステップＳ３０２からステップＳ３０７の動作が行われていないと判定された場合には（ステップＳ３０８：Ｎｏ）、ステップＳ３０１へ戻り、新たな周波数を選択した後（ステップＳ３０１）、ステップＳ３０２以降の動作を行う。
【０１３８】
他方、ステップＳ３０８の判定の結果、周波数リスト１３２に示される全ての中心周波数に対して、ステップＳ３０２からステップＳ３０７の動作が行われていると判定された場合には（ステップＳ３０８：Ｙｅｓ）、ＭＳ１００は、ＳＩＩ−ＡＤＶメッセージ４２１の取得処理の結果生成されたディスカバリＮＡＰ／ＮＳＰリスト１３３を参照しながら、ＮＡＰ（＃２）２１０（或いは、図３には図示されていない他のＮＡＰ２１０）に属するＢＳ２００との間のコネクションを確立するための再接続処理を行う（図７のステップＳ４０）。
【０１３９】
ここで、図１５を参照して、ディスカバリＮＡＰ／ＮＳＰリスト１３３について説明する。図１５に示すように、ディスカバリＮＡＰ／ＮＳＰリスト１３３は、例えば、図１２に示す取得処理の結果取得されたＤＬ−ＭＡＰ４１３に含まれるＮＡＰ  ＩＤ及び取得されたＳＩＩ−ＡＤＶ４２１に含まれるＮＳＰ  ＩＤを含むリストである。
【０１４０】
図１５に示す例では、周波数リスト１３２に含まれる第１の中心周波数を使用することで、“ＡＡＡＡ”という名称のＮＳＰ（＃３）３１０及びＮＳＰ（＃３）３１０にアクセス可能な“ａａａａ”という名称のＮＡＰ（＃３）２１０が検出され、且つ周波数リスト１３２に含まれる第２の中心周波数を使用することで、“ＢＢＢＢ”という名称のＮＳＰ（＃２）３１０にアクセス可能な“ｂｂｂｂ”という名称のＮＡＰ（＃２）２１０が検出された場合のディスカバリＮＡＰ／ＮＳＰリスト１３３の例について示している。
【０１４１】
（２−４−４）再接続処理
続いて、図１６及び図１７を参照して、図７のステップＳ４０における「再接続処理」について説明する。ここに、図１６は、再接続処理の流れを概念的に示すフローチャートであり、図１７は、好適ＮＡＰ／ＮＳＰリスト１３４を概念的に示す表である。
【０１４２】
図１６に示すように、ＭＳ１００は、ＮＡＰ切替判定部１２８の動作により、ＳＢＳ２００との間の無線通信を行うことが可能か否か（或いは、コネクションが切断されたか否か）を判定する（ステップＳ４０１）。例えば、ＭＳ１００は、ＳＢＳ２００から送信されるフレーム４００を所定期間受信できない場合に、ＳＢＳ２００との間の無線通信を行うことが可能でない（或いは、コネクションが切断された）と判定してもよい。この場合、所定期間として、ＭＳ１００内のメモリ１３０に予めプリセットされているＬＯＳＴ＿ＤＬ−ＭＡＰパラメータを用いてもよい。或いは、ＭＳ１００は、ＳＢＳ２００の電波強度が、上述した閾値ＣＩＮＲ＿ＨＯよりも小さくなった場合に、ＳＢＳ２００との間の無線通信を行うことが可能でない（或いは、コネクションが切断された）と判定してもよい。
【０１４３】
ステップＳ４０１における判定の結果、ＳＢＳ２００との間の無線通信を行うことが可能であると判定された場合には（ステップＳ４０１：Ｎｏ）、そのままＳＢＳ２００との無線通信を継続して行う。この場合、図１６では、ＳＢＳ２００との間の無線通信を行うことが可能か否かの判定をＭＳ１００が繰り返す例を示しているが、図７のステップＳ２０或いはステップＳ３０へ戻り、ステップＳ２０或いはステップＳ３０以降の動作を行うように構成してもよい。
【０１４４】
他方で、ＳＢＳ２００との間の無線通信を行うことが可能でないと判定された場合には（ステップＳ４０１：Ｙｅｓ）、続いて、ＭＳ１００は、ＮＡＰ切替判定部１２８の動作により、ＭＳ１００が新たにコネクションを確立するべきＮＡＰ２１０を選択する（ステップＳ４０２）。この選択動作は、上述のディスカバリＮＡＰ／ＮＳＰリスト１３３及び好適ＮＡＰ／ＮＳＰリスト１３４に基づいて行われる。
【０１４５】
好適ＮＡＰ／ＮＳＰリスト１３４は、図１７（ａ）に示すように、ＭＳ１００がサービスの提供を受けるべき（言い換えれば、サービスの提供を望む）ＮＳＰ３１０の優先度と、ＮＳＰ  ＩＤとが対応付けられたリストを含む。図１７（ａ）に示す例では、ＮＳＰ  ＩＤが“０ｘ０００５３０”であるＮＳＰ（＃１）３１０が最も優先されるＮＳＰ３１０として登録され、ＮＳＰ  ＩＤが“０ｘ０００ＡＣ０”であるＮＳＰ（＃２）３１０が二番目に優先されるＮＳＰ３１０として登録されている例を示す。
【０１４６】
また、好適ＮＡＰ／ＮＳＰリスト１３４は、図１７（ｂ）に示すように、ＭＳ１００がコネクションを確立するべき（言い換えれば、コネクションの確立を望む）ＮＡＰ２１０の優先度と、ＮＡＰ  ＩＤとが対応付けられたリストを含む。図１７（ｂ）に示す例では、ＮＡＰ  ＩＤが“０ｘＥ０Ｄ１１２”であるＮＡＰ（＃１）２１０が最も優先されるＮＡＰ２１０として登録され、ＮＡＰ  ＩＤが“０ｘＡ３ＣＤ３８”であるＮＡＰ（＃２）２１０が２番目に優先されるＮＡＰ２１０として登録されている例を示す。
【０１４７】
ここで、図１５に示すディスカバリＮＡＰ／ＮＳＰリスト１３３と及び図１７に示す好適ＮＡＰ／ＮＳＰリスト１３４に基づいて、新たにコネクションを確立するべきＮＡＰ２１０が選択される動作について具体的に説明する。まず、ＮＡＰ切替判定部１２８は、好適ＮＡＰ／ＮＳＰリスト１３４を参照することで、最も優先されるＮＳＰ３１０がＮＳＰ（＃１）３１０であることを認識する。他方で、ＮＡＰ切替判定部１２８は、ディスカバリＮＡＰ／ＮＳＰリスト１３３を参照することで、ＮＳＰ（＃１）３１０が、ディスカバリＮＡＰ／ＮＳＰリスト１３３に含まれていないことを認識する。このため、ＮＡＰ切替判定部１２８は、ＭＳ１００がＮＳＰ（＃１）３１０からサービスの提供を受けることができないことを認識する。続いて、ＮＡＰ切替判定部１２８は、好適ＮＡＰ／ＮＳＰリスト１３４を参照することで、２番目に優先されるＮＳＰ３１０がＮＳＰ（＃２）３１０であることを認識する。更に、ＮＡＰ切替判定部１２８は、ディスカバリＮＡＰ／ＮＳＰリスト１３３を参照することで、ＮＳＰ（＃２）３１０が、ディスカバリＮＡＰ／ＮＳＰリスト１３３に含まれていることを認識する。この場合、ＮＡＰ切替判定部１２８は、ディスカバリＮＡＰ／ＮＳＰリスト１３３を更に参照することで、ＮＳＰ（＃２）３１０に対しては、ＮＡＰ（＃２）２１０を介してアクセスすることができることを認識する。その結果、ＮＡＰ切替判定部１２８は、新たにコネクションを確立するべきＮＡＰ２１０として、ＮＡＰ（＃２）２１０を選択する。
【０１４８】
その後、ＭＳ１００は、無線送受信処理部１１０が使用する周波数を、ＮＡＰ（＃２）２１０に属するＢＳ２００（例えば、ＢＳ（＃５）２００）が利用する周波数へと切り替える（ステップＳ４０３）。
【０１４９】
その後、ＭＳ１００が備えるネットワークエントリ処理部１２３は、選択されたＮＡＰ（＃２）２１０に属するＢＳ（＃５）２００をターゲットとして、ネットワークエントリ処理を行う（ステップＳ４０４）。また、ネットワークエントリ処理のターゲットとなるＢＳ（＃５）２００も同様に、ネットワークエントリ処理部２０６の動作により、ネットワークエントリ処理を行う（ステップＳ４１１）。その結果、ＭＳ１００と、ＮＡＰ（＃２）２１０に属するＢＳ（＃５）２００との間のコネクションが確立する。これにより、ＭＳ１００は、ＮＡＰ（＃２）２１０から利用可能なＮＳＰ（＃２）３１０を介して、ＮＳＰ（＃２）と３１０とローミング契約を結んでいるＮＳＰ（＃１）３１０が提供するサービスを利用することができる。
【０１５０】
以上説明したように、第２実施形態に係る無線通信システム１０００では、ＭＳ１００は、ＳＩＩ−ＡＤＶメッセージ４２１の取得前にＢ．Ｃ．Ｐｏｉｎｔｅｒメッセージ４１５を取得している。このため、ＳＩＩ−ＡＤＶメッセージ４２１を取得するためにＭＳ１００とＳＢＳ２００との間の無線通信を一時的に停止する期間を相対的に短縮することができる。例えば、Ｂ．Ｃ．Ｐｏｉｎｔｅｒメッセージ４１５を受信することなくＳＩＩ−ＡＤＶメッセージ４２１を取得するのであれば、ＳＢＳ２００との間の無線通信を一時的に停止する期間を相対的に長く確保した上で、ＳＩＩ−ＡＤＶ４２１の送信を待つ必要がある。しかるに、第２実施形態によれば、Ｂ．Ｃ．Ｐｏｉｎｔｅｒメッセージ４１５に合わせてピンポイントでＭＳ１００とＳＢＳ２００との間の無線通信を一時的に停止すれば、ＭＳ１００とＳＢＳ２００との間の無線通信を一時的に停止する期間を相対的に長く確保しなくとも、ＳＩＩ−ＡＤＶメッセージ４２１を取得することができる。これにより、Ｂ．Ｃ．Ｐｏｉｎｔｅｒメッセージ４１５を取得することなくＳＩＩ−ＡＤＶメッセージ４２１を取得する無線通信システムと比較して、ＳＩＩ−ＡＤＶメッセージ４２１の取得のためにＭＳ１００とＳＢＳ２００との間の無線通信を一時的に停止する期間を相対的に短縮しつつも、ＳＩＩ−ＡＤＶメッセージ４２１を確実に取得することができる。
【０１５１】
更に、第２実施形態に係る無線通信システム１０００では、上述したように、ＳＩＩ−ＡＤＶメッセージ４２１の送信頻度よりも、Ｂ．Ｃ．Ｐｏｉｎｔｅｒメッセージ４１５の送信頻度を高くしてもよい。このため、送信頻度が相対的に高いＢ．Ｃ．Ｐｏｉｎｔｅｒメッセージ４１５に基づいて、ＳＩＩ−ＡＤＶメッセージ４２１を取得するためにＭＳ１００とＳＢＳ２００との間の無線通信を一時的に停止する期間を設定した後に、実際にＳＩＩ−ＡＤＶメッセージ４２１を取得することができる。このため、送信頻度が相対的に低いＳＩＩ−ＡＤＶメッセージ４２１を直接取得する（つまり、送信を待つ）ために、ＭＳ１００とＳＢＳ２００との間の無線通信を一時的に停止する期間を相対的に長く確保する必要はない。このため、ＳＩＩ−ＡＤＶメッセージ４２１の取得のためにＭＳ１００とＳＢＳ２００との間の無線通信を一時的に停止する期間を相対的に短縮しつつも、ＳＩＩ−ＡＤＶメッセージ４２１を確実に取得することができる。
【０１５２】
また、Ｂ．Ｃ．Ｐｏｉｎｔｅｒメッセージ４１５を送信するためにＤＬ−ＭＡＰ４１３を用いているため、ＩＥＥＥ８０２．１６におけるフレーム４００の構成を大きく変えることなく、上述した無線通信システム１００を構築することができる。
【０１５３】
また、ＭＳ１００が、ＳＢＳ２００との間の無線通信の一時停止をＳＢＳ２００に対して要求しているため、ＭＳ１００とＳＢＳ２００との間の無線通信が一時的に停止される期間を確実に確保することができる。
【０１５４】
加えて、電波強度を測定するスキャン処理を行うためのスキャンコマンドを流用して、Ｂ．Ｃ．Ｐｏｉｎｔｅｒメッセージ４１５やＳＩＩ−ＡＤＶメッセージ４２１を取得するための無線通信の一時的停止期間を要求することができる。従って、Ｂ．Ｃ．Ｐｏｉｎｔｅｒメッセージ４１５やＳＩＩ−ＡＤＶメッセージ４２１を取得するための無線通信の一時的停止期間を要求するためだけに特別なコマンドを用意する必要は必ずしもない。
【０１５５】
但し、ＭＳ１００は、電波強度を測定するスキャン処理を行うためのスキャンコマンドに加えて又は代えて、無線通信の一時停止を直接的に要求するコマンド（例えば、スリープモードコマンド）等を用いて、Ｂ．Ｃ．Ｐｏｉｎｔｅｒメッセージ４１５やＳＩＩ−ＡＤＶメッセージ４２１を取得するための無線通信の一時的停止期間を要求してもよい。或いは、ＭＳ１００は、その他の何らかのコマンドないしはメッセージ等を用いて、Ｂ．Ｃ．Ｐｏｉｎｔｅｒメッセージ４１５やＳＩＩ−ＡＤＶメッセージ４２１を取得するための無線通信の一時的停止期間を要求してもよい。
【０１５６】
また、ＭＳ１００がＳＢＳ２００との間の無線通信の一時停止をＳＢＳ２００に対して要求することに加えて又は代えて、ＳＢＳ２００がＭＳ１００との間の無線通信の一時停止をＭＳ１００に対して要求してもよい。例えば、ＳＢＳ２００とＭＳ１００との間で送受信するデータが少ない或いはないことをＳＢＳ２００が検知した場合等に、ＳＢＳ２００が期間を定めて無線通信の一時停止をＭＳ１００に対して許可すると共に、ＭＳ１００がＳＢＳ２００により指定された期間にＢ．Ｃ．Ｐｏｉｎｔｅｒメッセージ４１５やＳＩＩ−ＡＤＶメッセージ４２１を取得してもよい。
【０１５７】
また、ＭＳ１００は、ＳＢＳ２００とのコネクションを維持したまま、ＳＢＳ２００が属するＮＡＰ２１０とは異なる他のＮＡＰ２１０を介してサービスの提供を受けることができるＮＳＰ３１０を認識することができる。従って、仮にハンドオーバー可能なＢＳ２００が存在しない状態でＭＳ１００とＳＢＳ２００との間のコネクションが切れた場合であっても、コネクションが切れた後に改めてＮＡＰ  ＩＤやＮＳＰ  ＩＤを取得するためにＤＬ−ＭＡＰ４１３やＳＩＩ−ＡＤＶメッセージ４２１を取得する必要はない。つまり、ハンドオーバー可能なＢＳ２００が存在しない状態でＭＳ１００とＳＢＳ２００との間のコネクションが切れた場合であっても、既に取得済みのディスカバリＮＡＰ／ＮＳＰリスト１３３を参照して、所望のサービスの提供を受けることができるＮＳＰ３１０に接続できる他のＮＡＰ２１０（或いは、該ＮＡＰ２１０に属するＢＳ２００）とのコネクションを確立することができる。これにより、ＳＢＳ２００との間のコネクションが切れた後にＮＡＰ  ＩＤやＮＳＰ  ＩＤを取得してから他のＮＡＰ２１０とのコネクションを確立する無線通信システムと比較して、ＳＢＳ２００とＭＳ１００との間のコネクションが切れてから他のＮＡＰ２１０に属するＢＳ２００とＭＳ１００との間のコネクションが確立するまでに要する時間の短縮を図ることができる。
【０１５８】
尚、上述した第２実施形態では、ＳＢＳ２００が属するＮＡＰ２１０中にハンドオーバー候補となり得る他のＢＳ２００が存在しない場合に、他のＮＡＰ２１０中のＢＳ２００からＢ．Ｃ．Ｐｏｉｎｔｅｒメッセージ４１５及びＳＩＩ−ＡＤＶメッセージ４２１の双方を取得する例について説明している。しかしながら、ＳＢＳ２００が属するＮＡＰ２１０中にハンドオーバー候補となり得る他のＢＳ２００が存在する場合であっても、他のＮＡＰ２１０中のＢＳ２００からＢ．Ｃ．Ｐｏｉｎｔｅｒメッセージ４１５を前もって取得するように構成してもよい。この場合、ＳＢＳ２００が属するＮＡＰ２１０中にハンドオーバー候補となり得る他のＢＳ２００が存在しないと判定された後には、他のＮＡＰ２１０中のＢＳ２００からＳＩＩ−ＡＤＶメッセージ３２１を取得すれば足りる。このため、ＳＢＳ２００が属するＮＡＰ２１０中にハンドオーバー候補となり得る他のＢＳ２００が存在しないと判定されてから迅速に、ＳＩＩ−ＡＤＶ４２１を取得することができる。或いは、ＳＢＳ２００が属するＮＡＰ２１０中にハンドオーバー候補となり得る他のＢＳ２００が存在する場合であっても、Ｂ．Ｃ．Ｐｏｉｎｔｅｒメッセージ４１５及びＳＩＩ−ＡＤＶ４２１の双方を前もって取得するように構成してもよい。この場合、ＳＢＳ２００が属するＮＡＰ２１０中にハンドオーバー候補となり得る他のＢＳ２００が存在しないと判定された後に、ＳＩＩ−ＡＤＶメッセージ３２１等を取得する必要は必ずしもない。従って、上記判定の直後等にＳＢＳ２００とＭＳ１００との間のコネクションが突発的に又は予期せず切れた場合であっても、ＭＳ１００は、他のＮＡＰ２１０に属するＢＳ２００との間でコネクションを確立することができる。
【０１５９】
また、上述した第２実施形態では、Ｂ．Ｃ．Ｐｏｉｎｔｅｒメッセージ４１５を取得した後にＭＳ１００とＳＢＳ２００との間の無線通信を一度再開し、その後再度無線通信を一時的に停止してからＳＩＩ−ＡＤＶメッセージ４２１を取得する例について説明している。しかしながら、Ｂ．Ｃ．Ｐｏｉｎｔｅｒメッセージ４１５が示すタイミングがまさに現在時刻（或いは、現在時刻と概ね同視しえる時刻）であれば、ＭＳ１００とＳＢＳ２００との間の無線通信を一度再開することなく、ＳＩＩ−ＡＤＶメッセージ４２１をそのまま取得するように構成してもよい。これにより、ＭＳ１００とＳＢＳ２００との間の無線通信を一時的に停止する回数を減らすことができる。
【０１６０】
また、上述した第２実施形態では、ＮＳＰ（＃１）３１０とＮＳＰ（＃２）３１０とがローミング契約を結んでいる例（つまり、ＮＳＰ３１０同士のローミング契約がなされる例）について説明している。しかしながら、例えば、ＮＡＰ（＃２）から直接ＮＳＰ（＃１）のサービスを利用可能なローミング契約（つまり、ＮＡＰ２１０とＮＳＰ３１０との間のローミング契約）を採用する無線通信システムであってもよい。この場合であっても、上述した構成を採用することで、上述した効果を享受できる。
【０１６１】
以上説明した第１及び第２実施形態に関して、更に以下の付記を開示する。
【０１６２】
（付記１）
第１基地局群に属する第１無線基地局との通信を一時的に停止する第１無通信期間に、第２基地局群に属する第２無線基地局を介して提供されるサービスを示すサービス情報が前記第２無線基地局から送信される時刻を示す時刻情報を、前記第２無線基地局から取得する第１取得手段と、前記時刻情報が示す時刻に合わせて確保され且つ前記第１無線基地局との通信を一時的に停止する第２無通信期間に、前記第２無線基地局から前記サービス情報を取得する第２取得手段とを備える無線端末。
【０１６３】
（付記２）
前記時刻情報の送信頻度が、前記サービス情報の送信頻度よりも高い付記１に記載の無線端末。
【０１６４】
（付記３）
前記第１無通信期間及び前記第２無通信期間の少なくとも一方を、前記第１無線基地局に対して要求する要求手段を更に備える付記１又は２に記載の無線端末。
【０１６５】
（付記４）
前記要求手段は、前記時刻情報が示す時刻に合わせて、前記第２無通信機関を前記第１無線基地局に対して要求する付記３に記載の無線端末。
【０１６６】
（付記５）
前記要求手段は、当該無線端末が現在通信を行っている前記第１無線基地局に隣接する他の第１無線基地局と当該無線端末との間の通信環境を測定する期間を前記第１無線基地局に対して要求するスキャン要求コマンドを用いて、前記第１無通信期間及び前記第２無通信期間の少なくとも一方を要求する付記３又は４に記載の無線端末。
【０１６７】
（付記６）
前記要求手段は、当該無線端末が現在通信を行っている前記第１無線基地局との間の通信の一時的な停止を要求する間欠通信要求コマンドを用いて、前記第１無通信期間及び前記第２無通信期間の少なくとも一方を要求する付記３又は４に記載の無線端末。
【０１６８】
（付記７）
当該無線端末は、ＩＥＥＥ８０２．１６方式に準拠して、前記第１無線基地局及び前記第２無線基地局の夫々と通信を行い、前記時刻情報は、ＤＬ−ＭＡＰ（Down Link MAP）に含まれる付記１から６のいずれかに記載の無線端末。
【０１６９】
（付記８）
前記時刻情報は、前記ＤＬ−ＭＡＰ中のＢｒｏａｄｃａｓｔ  Ｃｏｎｔｒｏｌ  Ｐｏｉｎｔｅｒ情報に含まれる付記７に記載の無線端末。
【０１７０】
（付記９）
前記第１取得手段は、当該無線端末が現在通信を行っている前記第１無線基地局からハンドオーバー可能な他の第１無線基地局が前記第１基地局群中に存在しない場合に、前記時刻情報を取得する付記１から８のいずれかに記載の無線端末。
【０１７１】
（付記１０）
前記第２取得手段は、当該無線端末が現在通信を行っている前記第１無線基地局からハンドオーバー可能な他の第１無線基地局が前記第１基地局群中に存在しない場合に、前記サービス情報を取得する付記１から９のいずれかに記載の無線端末。
【０１７２】
（付記１１）
前記第２取得手段は、前記時刻情報が示す時刻が前記第１無通信期間に含まれる場合に、前記第１無通信期間に前記サービス情報を取得する付記１から１０のいずれかに記載の無線端末。
【０１７３】
（付記１２）
自身を介して提供されるサービスを示すサービス情報を送信する時刻を示す時刻情報を送信する第１送信手段と、前記サービス情報を送信する第２送信手段とを備える無線基地局。
【０１７４】
（付記１３）
前記時刻情報の送信頻度が、前記サービス情報の送信頻度よりも高い付記１２に記載の無線基地局。
【０１７５】
（付記１４）
当該無線基地局は、ＩＥＥＥ８０２．１６方式に準拠して通信を行い、前記時刻情報は、ＤＬ−ＭＡＰ（Down Link MAP）に含まれる付記１２又は１３に記載の無線基地局。
【０１７６】
（付記１５）
前記時刻情報は、前記ＤＬ−ＭＡＰ中のＢｒｏａｄｃａｓｔ  Ｃｏｎｔｒｏｌ  Ｐｏｉｎｔｅｒ情報に含まれる付記１４に記載の無線基地局。
【０１７７】
（付記１６）
無線端末と、第１基地局群に属する第１無線基地局と、第２基地局群に属する第２無線基地局とを備える無線通信システムにおける通信方法であって、前記第２無線基地局を介して提供されるサービスを示すサービス情報が前記第２無線基地局から送信される時刻を示す時刻情報が前記第２無線基地局から送信される第１送信工程と、前記サービス情報が前記第２無線基地局から送信される第２送信工程と、前記無線端末と前記第１無線基地局との間の通信を一時的に停止する第１無通信期間に、前記無線端末により前記時刻情報が取得される第１取得工程と、前記時刻情報が示す時刻に合わせて確保され且つ前記無線端末と前記第１無線基地局との間の通信を一時的に停止する第２無通信期間に、前記無線端末により前記サービス情報が取得される第２取得工程とを備える通信方法。
【０１７８】
本発明は、上述した実施形態に限られるものではなく、請求の範囲及び明細書全体から読み取れる発明の要旨或いは思想に反しない範囲で適宜変更可能であり、そのような変更を伴なう無線端末、無線基地局及び無線通信システムにおける通信方法もまた本発明の技術的範囲に含まれるものである。
【符号の説明】
【０１７９】
１、１０００  無線通信システム
１０  無線端末
１１  第１取得手段
１２  第２取得手段
２０  第１基地局群
２１  第１無線基地局
３０  第２基地局群
３１  第２無線基地局
３２  第１送信手段
３３  第２送信手段
１００  ＭＳ
１１０  無線送受信処理部
１２０  制御部
１２１  スキャン要求部
１２２  電波強度測定部
１２３  ネットワークエントリ処理部
１２４  ネットワークディスカバリ処理部
１２５  隣接情報受信部
１２６  ディスカバリトリガ判定部
１２７  ディスカバリタイミング制御部
１２８  ＮＡＰ切替判定部
１３０  メモリ
１３１  利用可能ＢＳリスト
１３２  周波数リスト
１３３  ディスカバリＮＡＰ／ＮＳＰリスト
１３４  好適ＮＡＰ／ＮＳＰリスト
２００  ＢＳ
２０１  無線送受信処理部
２０３  制御部
２０５  網構成情報送信部
２０６  ネットワークエントリ処理部
２１０  ＮＡＰ
３１０  ＮＳＰ
４００  フレーム
４１３  ＤＬ−ＭＡＰ
４１５  Ｂ．Ｃ．Ｐｏｉｎｔｅｒメッセージ
４２１  ＳＩＩ−ＡＤＶメッセージ
【図１】
0005397114.tif 000002
【図２】
0005397114.tif 000003
【図３】
0005397114.tif 000004
【図４】
0005397114.tif 000005
【図５】
0005397114.tif 000006
【図６】
0005397114.tif 000007
【図７】
0005397114.tif 000008
【図８】
0005397114.tif 000009
【図９】
0005397114.tif 000010
【図１０】
0005397114.tif 000011
【図１１】
0005397114.tif 000012
【図１２】
0005397114.tif 000013
【図１３】
0005397114.tif 000014
【図１４】
0005397114.tif 000015
【図１５】
0005397114.tif 000016
【図１６】
0005397114.tif 000017
【図１７】
0005397114.tif 000018